(57)【要約】      （修正有）【課題】協調マルチポイント（ＣｏＭＰ）送信をサポートするための技術を提供する。【解決手段】ＣｏＭＰ送信について、複数のセルは、少なくとも１つのＵＥから少なくとも２つのセルへの短期チャネルフィードバックに基づいて、同一の時間周波数リソース上で１つ以上のデータストリームを１つ以上のＵＥに同時に送信する。ある態様において、準静的構成は、ＵＥへのＣｏＭＰ送信のためにセルのセットによって使用される。準静的構成は、ＣｏＭＰ送信をＵＥに送信するためにセルのセットに対して利用可能なリソースエレメントを示す。利用可能なリソースエレメントは、セット内の全てのセルに対する最大数のＴＤＭ制御シンボルおよびセット内のセルによってセル固有参照信号に使用されるリソースエレメントに基づいて決定される。セット内のセルは、ＣｏＭＰ送信のために利用可能なリソースエレメント上でデータをＵＥに送信する。【選択図】図６
2014014097.tif 000002
【特許請求の範囲】
【請求項１】
ワイヤレス通信のための方法であって、
ユーザ機器（ＵＥ）への協調マルチポイント（ＣｏＭＰ）送信を行うためにセルのセットに対して利用可能なリソースエレメントを備える準静的構成を決定することと、
前記ＣｏＭＰ送信のために、前記利用可能なリソースエレメント上で前記ＵＥにデータを送信することと、
を備える方法。
【請求項２】
前記準静的構成を示す情報を前記ＵＥに送信することをさらに備え、
前記準静的構成は、前記ＣｏＭＰ送信が行われる複数のサブフレームに対して有効である、
請求項１に記載の方法。
【請求項３】
前記準静的構成を決定することは、
前記セット内の全てのセルに対して最大数の時分割多重送信（ＴＤＭ）制御シンボルを決定することと、
前記最大数のＴＤＭ制御シンボルに基づいて前記利用可能なリソースエレメントを決定することと、
を備える、請求項１に記載の方法。
【請求項４】
前記セット内の全てのセルに対する前記最大数のＴＤＭ制御シンボルは、前記セット内の各セルからの要求最大数のＴＤＭ制御シンボルに基づいて決定される、
請求項３に記載の方法。
【請求項５】
前記ＣｏＭＰ送信が行われる各サブフレームで、最大でも前記最大数までのＴＤＭ制御シンボルを送信することをさらに備える、
請求項３に記載の方法。
【請求項６】
前記準静的構成を決定することは、
前記セット内の前記セルによってセル固有参照信号に使用されるリソースエレメントを決定することと、
前記セル固有参照信号に使用される前記リソースエレメントにさらに基づいて、前記利用可能なリソースエレメントを決定することと、
をさらに備える、請求項３に記載の方法。
【請求項７】
前記ＣｏＭＰ送信のために、前記データと多重送信されるセル固有参照信号を送信することをさらに備え、
前記セット内の前記セルは、リソースエレメントの単一セット上で時間および周波数でアラインされたセル固有参照信号を送信する、
請求項１に記載の方法。
【請求項８】
前記セット内の前記セルは、セル固有参照信号のためのリソースエレメントの単一セットにマップするセル識別子（ＩＤ）が割り当てられる、
請求項１に記載の方法。
【請求項９】
複数のセルのセットは予め定義され、各セットは、セル固有参照信号のためのリソースエレメントの単一のセットにマップするセル識別子（ＩＤ）を有するセルを含み、前記セルのセットは、前記複数のセルのセットのうちの１つである、
請求項１に記載の方法。
【請求項１０】
前記セルのセットは、セル固有参照信号のためのリソースエレメントの共通のセットを使用するセルの大きいグループのうちの一つである、
請求項１に記載の方法。
【請求項１１】
前記ＣｏＭＰ送信のためにＵＥ固有参照信号を送信することをさらに備え、
前記セット内の前記セルは、リソースエレメントの単一セット上で、時間および周波数でアラインされたＵＥ固有参照信号を前記ＵＥに送信する、
請求項１に記載の方法。
【請求項１２】
前記ＵＥに関するセルの前記セットに割り当てられたスクラブリングコードに基づいて前記ＵＥ固有参照信号をスクランブルすることをさらに備える、
請求項１１に記載の方法。
【請求項１３】
前記データを送信することは、前記ＣｏＭＰ送信のために、マルチキャスト／ブロードキャスト単一周波数ネットワーク（ＭＢＳＦＮ）サブフレームのデータゾーン内の前記利用可能なリソースエレメント上で前記データを前記ＵＥに送信することを備え、
前記ＭＢＳＦＮサブフレームは、前記データゾーンにセル固有参照信号を含まない、
請求項１に記載の方法。
【請求項１４】
前記データを送信することは、前記ＣｏＭＰ送信のために空のサブフレーム内の前記利用可能なリソースエレメント上で前記データを前記ＵＥに送信することを備え、
前記空のサブフレームは、セル固有参照信号および別のＵＥについての制御情報を含まない、
請求項１に記載の方法。
【請求項１５】
ワイヤレス通信のための装置であって、
ユーザ機器（ＵＥ）への協調マルチポイント（ＣｏＭＰ）送信を行うためにセルのセットに対して利用可能なリソースエレメントを備える準静的構成を決定するための手段と、
前記ＣｏＭＰ送信のために、前記利用可能なリソースエレメント上で前記ＵＥにデータを送信するための手段と、
を備える装置。
【請求項１６】
前記準静的構成を示す情報を前記ＵＥに送信するための手段をさらに備え、
前記準静的構成は、前記ＣｏＭＰ送信が行われる複数のサブフレームに対して有効である、
請求項１５に記載の装置。
【請求項１７】
前記準静的構成を決定するための手段は、
前記セット内の全てのセルに対して最大数の時分割多重送信（ＴＤＭ）制御シンボルを決定するための手段と、
前記最大数のＴＤＭ制御シンボルに基づいて前記利用可能なリソースエレメントを決定するための手段と、
を備える、請求項１５に記載の装置。
【請求項１８】
前記準静的構成を決定するための手段は、
前記セット内の前記セルによってセル固有参照信号に使用されるリソースエレメントを決定するための手段と、
前記セル固有参照信号に使用される前記リソースエレメントにさらに基づいて、前記利用可能なリソースエレメントを決定するための手段と、
をさらに備える、請求項１７に記載の装置。
【請求項１９】
前記ＣｏＭＰ送信のために、前記データと多重送信されるセル固有参照信号を送信するための手段をさらに備え、
前記セット内の前記セルは、リソースエレメントの単一セット上で時間および周波数でアラインされたセル固有参照信号を送信する、
請求項１５に記載の装置。
【請求項２０】
前記ＣｏＭＰ送信のためにＵＥ固有参照信号を送信するための手段をさらに備え、
前記セット内の前記セルは、リソースエレメントの単一セット上で、時間および周波数でアラインされたＵＥ固有参照信号を前記ＵＥに送信する、
請求項１５に記載の装置。
【請求項２１】
ワイヤレス通信のための装置であって、
ユーザ機器（ＵＥ）への協調マルチポイント（ＣｏＭＰ）送信を行うためにセルのセットに対して利用可能なリソースエレメントを備える準静的構成を決定し、前記ＣｏＭＰ送信のために、前記利用可能なリソースエレメント上で前記ＵＥにデータを送信するように構成された少なくとも１つのプロセッサを備える装置。
【請求項２２】
前記少なくとも１つのプロセッサは、前記準静的構成を示す情報を前記ＵＥに送信するように構成され、前記準静的構成は、前記ＣｏＭＰ送信が行われる複数のサブフレームに対して有効である、
請求項２１に記載の装置。
【請求項２３】
前記少なくとも１つのプロセッサは、前記セット内の全てのセルに対して最大数の時分割多重送信（ＴＤＭ）制御シンボルを決定し、前記最大数のＴＤＭ制御シンボルに基づいて前記利用可能なリソースエレメントを決定するように構成され、
請求項２１に記載の装置。
【請求項２４】
前記少なくとも１つのプロセッサは、前記セット内の前記セルによってセル固有参照信号に使用されるリソースエレメントを決定し、前記セル固有参照信号に使用される前記リソースエレメントにさらに基づいて、前記利用可能なリソースエレメントを決定するように構成される、
請求項２３に記載の装置。
【請求項２５】
前記少なくとも１つのプロセッサは、前記ＣｏＭＰ送信のために、前記データと多重送信されるセル固有参照信号を送信するように構成され、前記セット内の前記セルは、リソースエレメントの単一セット上で時間および周波数でアラインされたセル固有参照信号を送信する、
請求項２１に記載の装置。
【請求項２６】
前記少なくとも１つのプロセッサは、前記ＣｏＭＰ送信のためにＵＥ固有参照信号を送信するように構成され、前記セット内の前記セルは、リソースエレメントの単一セット上で、時間および周波数でアラインされたＵＥ固有参照信号を前記ＵＥに送信する、
請求項２１の装置。
【請求項２７】
コンピュータ可読媒体を備えるコンピュータプログラム製品であって、前記コンピュータ可読媒体は、
少なくとも１つのコンピュータに、ユーザ機器（ＵＥ）への協調マルチポイント（ＣｏＭＰ）送信を行わせるためにセルのセットに対して利用可能なリソースエレメントを備える準静的構成を決定させるためのコードと、
前記少なくとも１つのコンピュータに、前記ＣｏＭＰ送信のために、前記利用可能なリソースエレメント上で前記ＵＥにデータを送信させるためのコードと、
を備える、コンピュータプログラム製品。
【請求項２８】
ワイヤレス通信のための方法であって、
協調マルチポイント（ＣｏＭＰ）送信をユーザ機器（ＵＥ）に送信するためにセルのセットに対して利用可能なリソースエレメントを備える準静的構成を示す情報を受信することと、
前記ＣｏＭＰ送信のために、セルの前記セット内の少なくとも２つのセルによって前記利用可能なリソースエレメント上で前記ＵＥに送信されたデータを受信することと、
を備える方法。
【請求項２９】
前記利用可能なリソースエレメントは、前記セット内の全てのセルに対する最大数の時分割多重送信（ＴＤＭ）制御シンボルに基づいて決定される、
請求項２８に記載の方法。
【請求項３０】
前記少なくとも２つのセルによって時間および周波数でアラインして送信されるセル固有参照信号を受信することと、
前記セル固有参照信号に基づいて、前記受信データ検出を実行することと、
をさらに備え、
前記利用可能なリソースエレメントは、前記セル固有参照信号に使用されるリソースエレメントに基づいて決定される、
請求項２８に記載の方法。
【請求項３１】
前記ＣｏＭＰ送信のために前記少なくとも２つのセルによって時間および周波数でアラインして送信されるＵＥ固有参照信号を受信することと、
前記ＵＥ固有参照信号に基づいて前記受信データ検出を実行することと、
をさらに備える、請求項２８に記載の方法。
【請求項３２】
前記データを受信することは、前記ＣｏＭＰ送信のために前記少なくとも２つのセルによってマルチキャスト／ブロードキャスト単一周波数ネットワーク（ＭＢＳＦＮ）サブフレームのデータゾーン内の前記利用可能なリソースエレメント上で前記ＵＥに送信される前記データを受信することを備え、
前記ＭＢＳＦＮサブフレームは前記データゾーンにセル固有参照信号を含まない、
請求項２８に記載の方法。
【請求項３３】
前記データを受信することは、前記ＣｏＭＰ送信のために空のサブフレーム内の前記利用可能なリソースエレメント上で前記少なくとも２つのセルによって前記ＵＥに送信された前記データを受信することを備え、
前記空のサブフレームは、セル固有参照信号および別のＵＥについての制御情報を含まない
請求項２８に記載の方法。
【請求項３４】
ワイヤレス通信のための装置であって、
協調マルチポイント（ＣｏＭＰ）送信をユーザ機器（ＵＥ）に送信するためにセルのセットに対して利用可能なリソースエレメントを備える準静的構成を示す情報を受信するための手段と、
前記ＣｏＭＰ送信のために、セルの前記セット内の少なくとも２つのセルによって、前記利用可能なリソースエレメント上で前記ＵＥに送信されたデータを受信するための手段と、
を備える装置。
【請求項３５】
前記利用可能なリソースエレメントは、前記セット内の全てのセルに対する最大数の時分割多重送信（ＴＤＭ）制御シンボルに基づいて決定される、
請求項３４に記載の装置。
【請求項３６】
前記少なくとも２つのセルによって時間および周波数でアラインして送信されるセル固有参照信号を受信するための手段と、
前記セル固有参照信号に基づいて、前記受信データ検出を実行するための手段と、
をさらに備え、
前記利用可能なリソースエレメントは、前記セル固有参照信号に対して使用されるリソースエレメントに基づいて決定される、
請求項３４に記載の装置。
【請求項３７】
前記ＣｏＭＰ送信のために前記少なくとも２つのセルによって時間および周波数でアラインして送信されるＵＥ固有参照信号を受信するための手段と、
前記ＵＥ固有参照信号に基づいて前記受信データ検出を実行するための手段と、
をさらに備える、請求項３４に記載の装置。
【請求項３８】
前記データを受信するための手段は、前記ＣｏＭＰ送信のために前記少なくとも２つのセルによってマルチキャスト／ブロードキャスト単一周波数ネットワーク（ＭＢＳＦＮ）サブフレームのデータゾーン内の前記利用可能なリソースエレメント上で前記ＵＥに送信される前記データを受信するための手段を備え、
前記ＭＢＳＦＮサブフレームは前記データゾーンにセル固有参照信号を含まない、
請求項３４に記載の装置。
【請求項３９】
ワイヤレス通信のための方法であって、
ユーザ機器（ＵＥ）への協調マルチポイント（ＣｏＭＰ）送信のために、セルのセットに対して使用されるマルチキャスト／ブロードキャスト単一周波数ネットワーク（ＭＢＳＦＮ）サブフレームを決定することと、
前記ＣｏＭＰ送信のために前記ＭＢＳＦＮサブフレームのデータゾーンでデータを前記ＵＥに送信することと、
を備え、
前記ＭＢＳＦＮサブフレームは、前記データゾーンにセル固有参照信号を含まない
方法。
【請求項４０】
前記ＣｏＭＰ送信のために前記データゾーンでＵＥ固有参照信号を送信することをさらに備える、
請求項３９に記載の方法。
【請求項４１】
ワイヤレス通信のための方法であって、
ユーザ機器（ＵＥ）への協調マルチポイント（ＣｏＭＰ）送信のために、セルのセットに使用されるマルチキャスト／ブロードキャスト単一周波数ネットワーク（ＭＢＳＦＮ）サブフレームを決定することと、
前記ＣｏＭＰ送信のために、セルの前記セットのうちの少なくとも２つのセルによって前記ＭＢＳＦＮサブフレームのデータゾーンで前記ＵＥに送信されるデータを受信することと、
を備え、
前記ＭＢＳＦＮサブフレームは前記データゾーンにセル固有参照信号を含まない
方法。
【請求項４２】
前記ＣｏＭＰ送信のために、前記少なくとも２つセルによって前記データゾーンで送信されるＵＥ固有参照信号を受信することと、
前記ＵＥ固有参照信号に基づいて、前記受信データ検出を実行することと、
をさらに備える、請求項４１に記載の方法。
【発明の詳細な説明】
【優先権の主張】
【０００１】
本出願は、本出願の譲受人に譲渡され、参照により本明細書に組み込まれる、２００９年１月１２日に出願された「Methods and Systems to Enable Resource Allocation to Support Coordinated MultiPoint (CoMP) TechniqUEs in LTE-Advanced」と題する米国仮出願６１／１４４，０８６号、および、２００９年１月２８日に出願された「Methods and Systems to Enable Resource Allocation to Support Coordinated MultiPoint (CoMP) TechniqUEs in LTE-Advanced」と題する米国仮出願６１／１４７，９９５号の優先権を主張する。
【技術分野】
【０００２】
本開示は一般的に通信に関し、さらに詳細には、ワイヤレス通信ネットワークにおけるデータ送信をサポートするための技術に関する。
【背景技術】
【０００３】
ワイヤレス通信ネットワークは、音声、ビデオ、パケットデータ、メッセージング、ブロードキャストなどの様々な通信コンテンツを提供するために広く展開される。これらのワイヤレスネットワークは、利用可能なネットワークリソースを共有することによって複数のユーザをサポートすることができる多元接続ネットワークでありうる。そのような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
ワイヤレス通信ネットワークは、多数のユーザ機器（ＵＥ）に対して通信をサポートすることができる多数の基地局を含みうる。１つのＵＥは複数のセルのカバレッジ内に存在しうる。ここで、「セル」という用語は基地局のカバレッジエリアおよび／またはそのカバレッジエリアにサービスを提供する基地局のサブシステムを指す。これら複数のセルのうちの１つ以上が、ＵＥにサービス提供するために選択されうる。優れたパフォーマンスを達成するために、選択されたセルが可能な限り効率的にＵＥにデータを送信することが望まれうる。
【発明の概要】
【０００５】
協調マルチポイント（ＣｏＭＰ）送信をサポートするための技術が本明細書に記述される。ＣｏＭＰ送信について、複数のセルは、少なくとも１つのＵＥから少なくとも２つセルへの短期チャネルフィードバックに基づいて、同一の時間周波数リソース上で１つ以上のデータストリームを１つ以上のＵＥに同時に送信することができる。ＣｏＭＰ送信はスループットを向上させ、別の利点を提供しうる。ある態様において、ＵＥへのＣｏＭＰ送信のためにセルのセットによって準静的構成が使用されうる。準静的構成は、ＵＥにデータを送信するためにセット内の全てのセルに対して利用可能なリソースエレメント（または時間周波数リソース）を備えうる。準静的構成は変化するとしてもまれであるため、ＣｏＭＰ送信に関するオーバーヘッドおよび複雑性を削減することができる。
【０００６】
１つの設計において、セルは、ＵＥにＣｏＭＰ送信を行うためにセルのセットに対して利用可能なリソースエレメントを備える準静的構成を決定することができる。利用可能なリソースエレメントは、（ｉ）セット内の全てのセルに対する最大数の時分割多重送信（ＴＤＭ）制御シンボル、（ｉｉ）セット内のセルによってセル固有参照信号に使用されるリソースエレメント、および／または（ｉｉｉ）別の情報に基づいて決定されうる。準静的構成は、ＣｏＭＰ送信が行われる複数のサブフレームに対して有効でありうる。セルは、準静的構成を示す情報をＵＥに送信することができる。セルは、ＣｏＭＰ送信のために、利用可能なリソースエレメント上で（例えば、標準サブフレーム（regular subframe）、またはマルチキャスト／ブロードキャスト単一周波数ネットワーク（ＭＢＳＦＮ）サブフレーム、または空のサブフレームで）データをＵＥに送信することができる。セルは、また、ＣｏＭＰ送信が行われる各フレームで最大数までのＴＤＭ制御シンボルを送信することができる。セルは、データと多重送信されるセル固有参照信号および／またはＵＥ固有参照信号を送信することができる。セット内のセルは、オーバーヘッドを減らすために、時間および周波数でアラインされたセル固有参照信号および／またはＵＥ固有参照信号をリソースエレメントの単一セット上で送信することができる。
【０００７】
１つの設計において、ＵＥは、準静的構成を示す情報を受信することができる。ＵＥは、さらにＣｏＭＰ送信のために、利用可能なリソースエレメント上で、セット内のいくつかのセルまたは全てのセルによってＵＥに送信されるデータを受信することができる。ＵＥは、セルによって送信されるセル固有参照信号および／またはＵＥ固有参照信号を受信することができる。ＵＥは、そのセル固有参照信号および／またはＵＥ固有参照信号に基づいて、受信データ検出を実行することができる。
【０００８】
本開示の様々な態様および特徴がより詳細に以下に記述される。
【図面の簡単な説明】
【０００９】
【図１】図１はワイヤレス通信ネットワークを示す。
【図２】図２は例示的なフレーム構造を示す。
【図３】図３は、２つの例示的な標準サブフレームのフォーマットを示す。
【図４】図４は、２つの例示的なＭＢＳＦＮサブフレームのフォーマットを示す。
【図５】図５は、複数のセルから単一のＵＥへのＣｏＭＰ送信を示す。
【図６】図６は、準静的構成を用いてＣｏＭＰ送信を行うためのプロセスを示す。
【図７】図７は、準静的構成を用いてＣｏＭＰ送信を行うための装置を示す。
【図８】図８は、準静的構成を用いてＣｏＭＰ送信を受信するためのプロセスを示す。
【図９】図９は、準静的構成を用いてＣｏＭＰ送信を受信するための装置を示す。
【図１０】図１０は、ＭＢＳＦＮサブフレームでＣｏＭＰ送信を行うためのプロセスを示す。
【図１１】図１１は、ＭＢＳＦＮサブフレームでＣｏＭＰ送信を行うための装置を示す。
【図１２】図１２はＭＢＳＦＮサブフレームで行われるＣｏＭＰ送信を受信するためのプロセスを示す。
【図１３】図１３はＭＢＳＦＮサブフレームで行われるＣｏＭＰ送信を受信するための装置を示す。
【図１４】図１４は基地局およびＵＥのブロック図を示す。
【発明の詳細な説明】
【００１０】
本明細書に記述される技術は、ＣＤＭＡ、ＴＤＭＡ、ＦＤＭＡ、ＯＦＤＭＡ、ＳＣ−ＦＤＭＡ、および、別のネットワークなどの様々なワイヤレス通信ネットワークに使用されうる。「ネットワーク」および「システム」という用語はしばしば交換可能に使用される。ＣＤＭＡネットワークは、ＵＴＲＡ（Universal Terrestrial Radio Access）、ｃｄｍａ２０００などの無線テクノロジを実施することができる。ＵＴＲＡは、広帯域ＣＤＭＡ（ＷＣＤＭＡ（登録商標））およびＣＤＭＡの別の変形を含む。ｃｄｍａ２０００はＩＳ−２０００、ＩＳ−９５、およびＩＳ−８５６規格をカバーする。ＴＤＭＡネットワークは、ＧＳＭ（登録商標）（Global System for Mobile Communications）などの無線テクノロジを実施することができる。ＯＦＤＭＡネットワークは、Ｅ−ＵＴＲＡ（Evolved UTRA）、ＵＭＢ（Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）等の無線テクノロジを実施することができる。ＵＴＲＡおよびＥ−ＵＴＲＡは、ＵＭＴＳ（Universal Mobile Telecommunication System）の一部である。３ＧＰＰロングタームエボリューション（ＬＴＥ）およびＬＴＥアドバンス（ＬＴＥ−Ａ）は、ダウンリンク上でＯＦＤＭＡを、アップリンク上でＳＣ−ＦＤＭＡを用いるＥ−ＵＴＲＡを使用するＵＭＴＳの新リリースである。ＵＴＡＲ、Ｅ−ＵＴＲＡ、ＵＭＴＳ、ＬＴＥ、ＬＴＥ−Ａ、およびＧＳＭは、「第３世代パートナーシッププロジェクト（３ＧＰＰ）」という名称の団体からの文書に記述されている。ｃｄｍａ２０００およびＵＭＢは、「第３世代パートナーシッププロジェクト２（３ＧＰＰ２）」という名称の団体からの文書に記述されている。本明細書に記述される技術は、上に記述されたワイヤレスネットワークおよび無線テクノロジ、並びに、別のワイヤレスネットワークおよび無線テクノロジに使用されうる。明確さのために、当技術のある態様はＬＴＥについて下に記述され、ＬＴＥ用語が以下の記述の大半において使用される。
【００１１】
図１は、ＬＴＥネットワークまたはいくつかの別のワイヤレスネットワークでありうるワイヤレス通信ネットワーク１００を示す。ネットワーク１００は、多数のＵＥに対する通信をサポートすることができる多数の発展型ノードＢ（ｅＮＢ）および別のネットワークエンティティを含みうる。簡潔さのために、３つのｅＮＢ１１０ａ、１１０ｂ、１１０ｃおよび１つのネットワークコントローラ１３０のみが図１に示される。ｅＮＢは、ＵＥと通信する局であり、基地局、ノードＢ、アクセスポイントなどとも呼ばれうる。ｅＮＢ１１０の各々は、特定の地理的エリア１０２に通信カバレッジを提供することができる。システム容量を改善するために、ｅＮＢのカバレッジエリア全体は、例えば、３つのより小さいエリア１０４ａ、１０４ｂ、１０４ｃなど、複数のより小さいエリアに分割されうる。より小さいエリアの各々はそれぞれのｅＮＢサブシステムによってサービス提供されうる。３ＧＰＰにおいて、「セル」という用語は、ｅＮＢの最小カバレッジエリア、および／または、このカバレッジエリアにサービスを提供するｅＮＢのサブシステムを指す。３ＧＰＰ２において、「セクタ」または「セルセクタ」という用語は、基地局の最小カバレッジエリア、および／または、このカバレッジエリアにサービスを提供する基地局のサブシステムを指しうる。簡潔さのために、セルについての３ＧＰＰのコンセプトが以下の記述で使用される。一般的に、ｅＮＢは、１つまたは複数（例えば３つ）のセルをサポートすることができる。
【００１２】
ネットワークコントローラ１３０は、ｅＮＢのセットに結合され、これらのｅＮＢに協調と制御を提供しうる。ネットワークコントローラ１３０は、モバイル管理エンティティ（ＭＭＥ）および／またはいくつかの別のネットワークエンティティを備えうる。
【００１３】
多数のＵＥがワイヤレスネットワーク全体に分散され、各ＵＥは固定またはモバイルでありうる。簡潔さのために、図１は各セルに１つのＵＥ１２０のみを示す。ＵＥは、端末、モバイル局、アクセス端末、加入者ユニット、局などとも呼ばれうる。ＵＥは、セルラ電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などでありうる。ＵＥは、ダウンリンクおよびアップリンクを介して基地局／セルと通信しうる。ダウンリンク（すなわち順方向リンク）は基地局／セルからＵＥへの通信リンクを指し、アップリンク（すなわち逆方向リンク）はＵＥから基地局／セルへの通信リンクを指す。
【００１４】
ＬＴＥは、ダウンリンク上で直交周波数分割多重送信（ＯＦＤＭ）を、アップリンク上で単一キャリア周波数分割多重送信（ＳＣ−ＦＤＭ）を利用する。ＯＦＤＭおよびＳＣ−ＦＤＭは、一般的にトーン、ビンなどとも呼ばれる複数（ＮＦＦＴ）の直交サブキャリアに周波数範囲を分割する。各サブキャリアはデータを用いて変調されうる。一般的に、変調シンボルは、ＯＦＭＤの場合に周波数ドメインで送信され、SC-FDMの場合に時間ドメインで送信される。隣接サブキャリア間の間隔は固定であり、サブキャリアの総数（ＮＦＦＴ）はシステム帯域幅に依存しうる。例えば、ＮＦＦＴは、システム帯域幅が１．２５、２．５、５、１０、または２０メガヘルツ（ＭＨｚ）の場合に、それぞれ、１２８、２５６、５１２、１０２４、または２０４８に等しい。
【００１５】
図２は、ＬＴＥで使用されるフレーム構造２００を示す。ダウンリンクおよびアップリンクについての送信タイムラインは、無線フレームユニットに分割されうる。各無線フレームは、既定の持続時間（例えば、１０ミリ秒（ｍｓ））を有し、０〜９のインデックスを有する１０個のサブフレームに分割されうる。各サブフレームは２つのスロットを含み、各スロットはＬ個のシンボル期間、例えばノーマルサイクリックプリフィックスの場合に７つのシンボル期間を、あるいは拡張サイクリックプリフィックスの場合に６つのシンボル期間を含みうる。各サブフレーム内の２Ｌ個のシンボル期間はインデックス０〜２Ｌ−１が割り当てられうる。ダウンリンク上では、図２に示されるように、サブフレームの各シンボル期間でＯＦＤＭシンボルが送信されうる。アップリンク上では、サブフレームの各シンボル期間でＳＣ−ＦＤＭＡシンボルが送信されうる。
【００１６】
ＬＴＥは、特定のＵＥへのユニキャストデータの送信をサポートする。ＬＴＥは、全てのＵＥへのブロードキャストデータの送信およびＵＥのグループへのマルチキャストデータの送信もサポートする。マルチキャスト／ブロードキャスト送信は、ＭＢＳＦＮ送信とも呼ばれうる。ユニキャストデータを送信するために使用されるサブフレームは、標準サブフレームと呼ばれうる。マルチキャストおよび／またはブロードキャストデータを送信するために使用されるサブフレームは、ＭＢＳＦＮサブフレームと呼ばれうる。
【００１７】
図３は、ノーマルサイクリックプリフィックスの場合のダウンリンクについての２つの例示的な標準サブフレームのフォーマット３１０および３２０を示す。利用可能な時間周波数リソースはリソースブロックに分割されうる。各リソースブロックは、１スロットで１２個のサブキャリアをカバーし、多数のリソースエレメントを含みうる。各リソースエレメントは、１つのシンボル期間で１つのサブキャリアをカバーし、実数値または複素数値でありうる１つの変調シンボルを送信するために使用されうる。
【００１８】
図３に示されるように、サブフレームは制御ゾーンに続いてデータゾーンを含みうる。制御ゾーンは、サブフレームの最初のＭ個のＯＦＤＭシンボルを含みうる。ここで、Ｍは１、２、３、または４に等しい。Ｍはサブフレーム毎に変化し、サブフレームの第１のシンボル期間で送信される物理制御フォーマットインジケータチャネル（ＰＣＦＩＣＨ）によって伝達されうる。最初のＭ個のＯＦＤＭシンボルは、制御情報を搬送するＯＦＤＭシンボルであるＴＤＭ制御シンボルでありうる。データゾーンは、サブフレームの残りの２Ｌ−Ｍ個のシンボル期間を含み、ＵＥにデータを搬送しうる。図３に示される例において、各サブフレームは、Ｍ＝３の時３つのＴＤＭ制御シンボルを含む。制御情報は、シンボル期間０〜２で送信され、データは、サブフレームの残りのシンボル期間３〜１３で送信されうる。
【００１９】
サブフレームのフォーマット３１０は、２つのアンテナを備えたｅＮＢによって使用されうる。セル固有参照信号（ＣＳＲＳ）は、シンボル期間０、４、７、および１１で送信され、チャネル推定および別の測定のためにＵＥによって使用されうる。参照信号は、送信機および受信機がアプリオリに知っている信号であり、パイロットとも呼ばれうる。セル固有参照信号は、例えば、セル識別情報（ＩＤ）に基づいて決定される１つ以上のシンボルシーケンスを用いて生成される、セル特有の参照信号である。図３のＲａとラベル付けされた所与のリソースエレメントについて、参照シンボルが、そのリソースエレメント上でアンテナａから送信され、変調シンボルはそのリソースエレメント上で別のアンテナからは送信されない。サブフレームのフォーマット３２０は、４つのアンテナを備えるｅＮＢによって使用されうる。セル固有参照信号は、シンボル期間０、１、４、７、８、および１１で送信されうる。サブフレームのフォーマット３１０および３２０の両方について、データゾーン内のセル固有参照信号に使用されないリソースエレメント（図３で網掛けなしで示される）は、データを送信するために使用されうる。
【００２０】
図４は、ノーマルサイクリックプリフィックスの場合のダウンリンクについての２つの例示的なＭＢＳＦＮサブフレームのフォーマット４１０および４２０を示す。サブフレームのフォーマット４１０は、２つのアンテナを備えたｅＮＢによって使用されうる。セル固有参照信号は、シンボル期間０で送信されうる。図４に示される例について、Ｍ＝１であり、１つのＴＤＭ制御シンボルがＭＢＳＦＮサブフレームの制御ゾーンで送信される。サブフレームのフォーマット４２０は、４つのアンテナを備えたｅＮＢによって使用されうる。セル固有参照信号は、シンボル期間０および１で送信される。図４において示される例について、Ｍ＝２であり、２つのＴＤＭ制御シンボルが、ＭＢＳＦＮサブフレームの制御ゾーンで送信される。サブフレームのフォーマット４１０および４２０の両方について、データゾーン全体は、データと、おそらくは参照信号とを送信するために使用されうる。
【００２１】
ネットワーク１００はＣｏＭＰ送信をサポートすることができる。ＣｏＭＰ送信について、複数のセルは、少なくとも１つのＵＥから少なくとも２つのセルへの短期チャネルフィードバックに基づいて、同一の時間周波数リソース上で１つ以上のデータストリームを１つ以上のＵＥに同時に送信することができる。ＣｏＭＰ送信は、複数のセルの複数の送信アンテナおよびＵＥ側の複数の受信アンテナにより提供される追加の空間次元を活用することによって、これを達成することができる。短期チャネルフィードバックはチャネル利得推定を備え、送信の前に１つ以上のデータストリームを空間処理するために複数のセルによって使用されうる。ＣｏＭＰ送信はソフトハンドオフとは異なり、空間次元を活用することなく、複数のセルがデータをたった１つのＵＥに送信する、ソフターハンドオフである。よって、ＣｏＭＰ送信は、ＵＥのためのスループットを向上させ、別の利点も提供しうる。
【００２２】
図５は、複数（Ｋ個）のセルから単一のＵＥへのＣｏＭＰ送信の例を示す。Ｋ個のセルは同一のｅＮＢあるいは異なるｅＮＢに属する。Ｋ個のセルは、結合処理（joint processing）または協調ビームフォーミング（cooperative beamforming）のいずれかを使用して、ＵＥにデータを送信することができる。結合処理について、Ｋ個のセルは、異なるデータストリームを１つ以上のＵＥに同時に送信することができ、各ＵＥは、受信器処理／検出を実行してそのＵＥに送信されたデータストリームを回復することができる。協調ビームフォーミングについて、Ｋ個のセルは、データ送信がターゲットＵＥに向けられ、別のＵＥから遠ざけられるように、ビーム方向および電力密度を選択することができる。このビームフォーミングは別のＵＥへの干渉を減らしうる。結合処理および協調ビームフォーミングの両方について、Ｋ個のセルは、同一のリソースエレメント上でＵＥにデータを送信すべきである。これらのリソースエレメントは、参照信号または制御情報のために、Ｋ個のセルのうちのどのセルによっても使用されるべきではない。
【００２３】
ＣｏＭＰ送信をサポートするために、Ｋ個のセルは同一のリソースブロックをＵＥに割り当てることができる。しかしながら、Ｋ個のセルによって同一のリソースブロックがＵＥに割り当てられた場合であっても、データゾーンのサイズおよび参照信号の位置は個々のセルで異なりうる。このように、Ｋ個のセルがデータをＵＥに送信するために使用可能なリソースエレメントは不均衡でありうる。
【００２４】
図３に示されるように、各セルは、サブフレームごとに変化しうる設定可能な数のＴＤＭ制御シンボルを送信することができる。さらに、各セルは、そのセルＩＤに依存しうるリソースエレメントのセット上でセル固有参照信号を送信することができる。セルの送信アンテナについてのサブキャリアオフセットは下記のように与えられる。
【数１】
2014014097.tif 000003
【００２５】
ここで、
【数２】
2014014097.tif 000004
【００２６】
はセルＩＤを表し、
【数３】
2014014097.tif 000005
【００２７】
はサブキャリアオフセットを表し、「ｍｏｄ」はモジューロ演算を表す。２つの送信アンテナの場合、送信アンテナ０からの参照信号に使用されるサブキャリアは、送信アンテナ１からの参照信号に使用されるサブキャリアから３つのサブキャリアだけオフセットされうる。この場合、所与のセルについての送信アンテナ０および１の両方からの参照信号に使用されるサブキャリアのセットは以下のとおり与えられうる。
【数４】
2014014097.tif 000006
【００２８】
各セルは、セルについてのサブキャリアオフセットに基づいて決定されうるリソースエレメントのセット上でセル固有参照信号を送信することができる。同一のサブキャリアオフセットにマップするセルＩＤを有するセルは、リソースエレメントの同一のセット上でそのセル固有参照信号を送信することができる。逆に、異なるサブキャリアオフセットにマップするセルＩＤを有するセルは、リソースエレメントの異なるセット上でそれらのセル固有参照信号を送信することができる。図３は、サブフレームのフォーマット３１０および３２０の各々について、１つのサブキャリアオフセットに対するリソースエレメントの１つのセット（網掛けのマスで表される）を示す。サブフレームのフォーマットの各々について、セル固有参照信号のためのリソースエレメントの別の５つのセットは、図３に示されるリソースエレメントのセットを周波数軸方向に異なる数のサブキャリア分シフトすることによって形成されうる。
【００２９】
動的シグナリングが、Ｋ個のセルによってＵＥにデータを送信するために使用されうるリソースエレメントの起こりうる不均衡に対処するために使用されうる。動的シグナリングについて、各セルは、ＵＥへのＣｏＭＰ送信に使用される各サブフレームで制御情報を動的に送信することができる。どのリソースエレメントがセルによってＵＥへのデータの送信に使用されうるかを決定するために、各セルからの制御情報はＵＥによって使用されることができる。ＵＥは、データをＵＥに送信するためにＫ個のセル全てに対して利用可能なリソースエレメントのセットを決定しうる。このリソースエレメントのセットは、各セルの制御ゾーン内のリソースエレメント、並びに、各セルによってセル固有参照信号に使用されるリソースエレメントを除くことができる。ＵＥは、次に、このリソースエレメントのセット上でＫ個のセルからＣｏＭＰ送信を受信することができる。ネットワーク側で、各セルは、どのリソースエレメントが別のセルによってＵＥへのデータの送信に使用されるかを決定するために、そのセルによって使用されうる制御情報を動的に受信することができる（例えば、バックホールを介して）。各セルは、次に、ＵＥにデータを送信するために、Ｋ個のセル全てに対して利用可能なリソースエレメントのセットを決定しうる。各セルは、次に、このリソースエレメントのセット上でＵＥにデータを送信することができる。
【００３０】
上に記述された動的シグナリングスキームは、Ｋ個のセルが、全てのセルに対して利用可能な同一のリソースエレメント上でデータを確実に送信することができる。そのスキームは、さらにＵＥがこれらのリソースエレメントを確かめ、適切なリソースエレメントからデータを確実に受信するようにできる。しかしながら、動的シグナリングは、ＣｏＭＰ送信に関するオーバーヘッドおよび複雑性を増加させうる。
【００３１】
ある態様において、準静的構成は、ＵＥへのＣｏＭＰ送信のためにセルのセットによって使用されうる。準静的構成は、ＵＥにデータを送信するためにセット内の全てのセルに対して利用可能なリソースエレメントを示すことができる。これらのリソースエレメントは、利用可能なリソースエレメントと呼ばれうる。準静的構成は変化したとしてもめったに変化しないため、上に記述された動的シグナリングスキームと比較して、ＣｏＭＰ送信に関するオーバーヘッドおよび複雑性を減らすことができる。
【００３２】
準静的構成は、ＣｏＭＰ送信のためにＵＥにデータを送信することができるセルのセット、すなわち、ＵＥへのＣｏＭＰ送信に関与することができる複数のセルに対して決定されうる。このセルのセットは、ＵＥのための候補サービングセットと呼ばれうる。候補サービングセット内の１つのセルは、ＵＥのためのサービング／アンカーセルと指定されうる。サービングセルは、シグナリングをＵＥに送信し、ＵＥからシグナリングを受信するために指定されたセルでありうる。候補サービングセットは、セルとＵＥとの間の長期チャネル強度に基づいて決定されるセルを含むため、ゆっくりと変化しうる準静的セットでありうる。候補サービングセット内の全てのセルまたはセルのサブセットは、任意の所与のサブフレームでデータをＵＥに送信することができる。各セルは、ＵＥにデータを送信するためにそのセルによって使用されうる実際のリソースエレメントに関わらず、利用可能なリソースエレメント上でＵＥにデータを送信することができる。このように、利用可能なリソースエレメントは、ＵＥにデータを送信するために各セルによって使用されうる全てのリソースエレメントのサブセットでありうる。
【００３３】
別の態様において、候補サービングセット内のセルは、これらのセルが送信するであろうＴＤＭ制御シンボルの最大数を設定するために協調しうる。これは、セルが多くても同じ数のＴＤＭ制御シンボルを確実に使用するようにすることができる。候補サービングセットに対するＴＤＭ制御シンボルの最大数はＮMAXと表されうる。ＮMAXは、最大サイズの制御ゾーンに相当し、様々な方法で決定されうる。
【００３４】
１つの設計において、ＮMAXは、例えば、バックホールメッセージを介して、候補サービングセット内のセルによって交渉されうる。各セルは、そのセルに対する特定の最大数のＴＤＭ制御シンボルを指示または要求するためにメッセージを送信することができる。候補サービングセット内の各セルの最大制御ゾーンは、バックホールを介しての頻繁な更新を回避するために保守的に選択されうる。候補サービングセットに対するＮMAXが、次に、候補サービングセット内の全てのセルからの要求最大数のＴＤＭ制御シンボルに基づいて選択されうる。１つの設計において、ＮMAXは、候補サービングセット内の全てのセルからのＴＤＭ制御シンボルの要求最大数のうち最も大きい数に等しい。別の設計において、ＮMAXは、全てのセルからの要求最大数のＴＤＭ制御シンボルと、おそらくは別の考慮とに基づいて選択されうる。この設計の場合、ＮMAXは、ＴＤＭ制御シンボルの要求最大数のうち最も大きい数に等しい場合とそうでない場合がある。
【００３５】
別の設計において、ＮMAXは、サービングセル、図１のコントローラ１３０、あるいは、いつかの別のエンティティでありうる指定ネットワークエンティティによって決定されうる。指定ネットワークエンティティは、ＣｏＭＰ送信のために候補サービングセット内のセルの動作を制御することに対して責任を持つ。さらに別の設計において、ＮMAXは、ネットワークオペレータによって設定されうる。
【００３６】
全ての設計について、ＵＥは、候補サービングセットに対するＮMAXについて通知されうる。次に、ＵＥは、候補サービングセット内の全てのセルについての制御ゾーンの最大サイズを知るであろう。ＮMAXは、候補サービングセット内の全てのセルについての共通制御ゾーンのサイズとみなされうる。候補サービングセット内の全てのセルは、それらが交渉の間にＮMAX個以上のＴＤＭ制御シンボルを要求した場合であっても、最大でＮMAX個のＴＤＭ制御シンボルを送信しうる。ＵＥは、また、候補サービングセット内のセルについて通知されうる。しかしながら、ＵＥは、任意で所与のサブフレームにおいて、ＵＥにデータを送信する特定のセルについて知らされる必要は無い。実際にはセルのサブセットだけがＵＥにデータを送信する場合であっても、ＵＥは、単純に、候補サービングセット内の全てのセルがＵＥにデータを送信すると仮定する。
【００３７】
ＮMAXは、過度のシグナリングオーバーヘッドを回避するために頻繁に変化しない準静的値でありうる。ＮMAXは全てのサブフレームに対して固定であるか、あるいはサブフレーム依存でありうる。例えば、第１のＮMAX値は各無線フレームのサブフレームｘに対して使用され、第２のＮMAX値は、各無線フレームのサブフレームｙに対して使用されうる。あらゆる場合において、候補サービングセット内のセルおよびＵＥはＮMAXについての知識を有しており、それによってデータを送受信することができる。ＮMAXがサービングセルの制御ゾーンよりも大きい場合、次に、ＣｏＭＰに使用されるサブフレームの第１のＮMAX個のシンボル内のリソースエレメント上で、非ＣｏＭＰデータ送信がサービングセルによって行われうる。
【００３８】
さらに別の態様において、候補サービングセット内のセルは、リソースエレメントの同一のセット上でそのセル固有参照信号を送信しうる。候補サービングセット内のセルからのセル固有参照信号をアラインすることは、セル固有参照信号に使用されるリソースエレメントの数を最小化しうる。その後、これは、望まれる、ＵＥにデータを送信するために利用可能なリソースエレメントの数を最大化しうる。セル固有参照信号のアラインメントは、式（１）に示されるように、候補サービングセット内のセルが、同一のサブキャリアオフセットにマップするセルＩＤを割り当てられることによって達成されうる。セルは典型的に静的セルＩＤを割り当てられるため、固定のクラスタリングスキームが使用され、ＣｏＭＰ送信のためのセルのクラスタはその静的なセルＩＤに基づいて予め定義されうる。各クラスタは、同一のサブキャリアオフセットにマップするセルＩＤを有するセルを含みうる。ＵＥのための候補サービングセットは、可能性のあるセルのクラスタのうちの１つでありうる。
【００３９】
ＵＥは、候補サービングセット内のセルのセルＩＤを、例えば、これらのセルに送信されるプライマリ同期信号およびセカンダリ同期信号を介して獲得しうる。ＵＥは、そのセルＩＤに基づいて、これらのセルによってセル固有参照信号に使用されるリソースエレメントを決定することができる。候補サービングセット内のセルのセル固有参照信号がアラインされない場合、次に、ＵＥは、これらのセルによってセル固有参照信号に使用されるリソースエレメントのセットを確かめることができる。ＵＥは、これらのリソースエレメントを、候補サービングセット内のセルからのＣｏＭＰ送信に利用不可能とみなしうる。
【００４０】
さらに別の態様において、候補サービングセット内のセルは、リソースエレメントの単一のセット上でＵＥにＵＥ固有参照信号を送信することができる。セル固有参照信号は、全てのＵＥによって受信され、共通参照信号またはパイロットと呼ばれうる。ＵＥ固有参照信号は特定のＵＥに向けられ、専用参照信号またはパイロットとも呼ばれうる。セルは、データに適用される場合にデータと同じ方法、例えば、ビームフォーミングを用いてＵＥ固有参照信号を送信することができる。これは、ＣｏＭＰ送信のためのＵＥによるチャネル推定を簡単にしうる。１つの設計において、ワイヤレスネットワーク内の全てのセルは、そのＵＥ固有参照信号をリソースエレメントの同一のセット上で送信することができる。セルの別のクラスタは、それぞれのＵＥに対して異なるスクランブリングコードが割り当てられ、各クラスタ内のセルは、そのＵＥに関するクラスタに割り当てられたスクラブリングコードを用いて、所与のＵＥについてのＵＥ固有参照信号をスクランブルしうる。セルの別のクラスタからのＵＥ固有参照信号は、異なるスクラブリングコードを使用することによって区別されうる。
【００４１】
１つの設計において、候補サービングセット内のセルは、ＵＥ固有参照信号およびセル固有参照信号の両方を送信することができる。セルは、例えば、図３に示される標準サブフレームのフォーマットを使用して、２つまたは４つのアンテナからセル固有参照信号を送信することができる。セルは、さらに、参照オーバーヘッドを減らすために、アンテナが４つある場合であっても、２つのアンテナからセル固有参照信号を送信することができる。セルは、アンテナポート５を使用してＵＥ固有参照信号を送信することができ、それは、図３に示されないリソースエレメントのセットにマップされうる。別の設計において、セルは、例えば、図４に示されるＭＢＳＦＮサブフレームのフォーマットを使用して、ＵＥ固有参照信号だけを送信し、セル固有参照信号を送信しない。ＵＥ固有参照信号は、セルおよびＵＥにアプリオリに知られているリソースエレメントのセット上で送信されうる。
【００４２】
さらに別の態様において、候補サービングセット内のセルは、リソースブロック内の利用可能なリソースエレメント上でのみＵＥにＣｏＭＰ送信を行うことができる。利用可能なリソースエレメントは、共通制御ゾーンに含まれず、且つ、候補サービングセット内のセルによってセル固有参照信号に使用されないリソースエレメントでありうる。ＣｏＭＰ送信はＵＥへのデータを含むことができ、ＵＥ固有参照信号を含むか、あるいは含まないことができる。ＵＥ固有参照信号は、送信されると、ＵＥによって、ＣｏＭＰ送信に使用されるリソースエレメントについてのチャネル推定および干渉推定に使用されうる。
【００４３】
セルは、リソースブロック内の残りの全リソースエレメント、または、残りのリソースエレメントのうちのいくつかで非ＣｏＭＰ送信を行うことができる。非ＣｏＭＰ送信について、ＵＥは、セルからのセル固有参照信号に基づいてチャネル推定および干渉推定を実行しうる。同一のリソースブロック内のＣｏＭＰ送信および非ＣｏＭＰ送信の両方を復号することはＵＥの複雑性を増加させうる。ＵＥ能力パラメータは、そのＵＥがＣｏＭＰ送信および非ＣｏＭＰ送信の両方を復号できるか否かを示すために使用されうる。ＵＥは、候補サービングセット内の別のセルに情報を転送するサービングセルにこのＵＥ能力パラメータを送信することができる。セルは、ＵＥにＣｏＭＰ送信および非ＣｏＭＰ送信の両方を送信するか否かを決定するためにこのパラメータを使用しうる。セルは、さらに、ＵＥに対して変調および符号化スキーム（ＭＣＳ）を選択するためにこのパラメータを使用する。
【００４４】
さらに別の態様において、ＣｏＭＰ送信は、レガシＵＥがダウンリンク上でのデータ送信のためにスケジュールされないサブフレームおよび／またはキャリアで行われうる。レガシＵＥは、セルからのセル固有参照信号および／またはＴＤＭ制御シンボルを受信することを予想するＵＥでありうる。ＣｏＭＰ送信を、レガシＵＥがスケジュールされないサブフレームおよび／またはキャリアに制限することによって、セル固有参照信号および／またはＴＤＭ制御シンボルは省略され、それは、次に、ＣｏＭＰ送信に利用可能なリソースエレメントの数を増加させうる。
【００４５】
ＣｏＭＰ送信は異なるタイプのサブフレームで実行されうる。１つの設計において、ＣｏＭＰ送信は、例えば、図３に示されるような標準サブフレームで送信されうる。制御ゾーンのサイズおよびセル固有参照信号のためのリソースエレメントは上に記述されたように構成されうる。別の設計において、ＣｏＭＰ送信は、例えば、図４に示されるようなＭＢＳＦＮサブフレームで実行されうる。ＭＢＳＦＮサブフレームの各々は、ごくわずかな（例えば、１つまたは２つの）ＴＤＭ制御シンボルを含み、制御ゾーンにのみセル固有参照信号を含みうる。データゾーン全体はＣｏＭＰ送信に使用されうる。候補サービングセット内のセルは、ＣｏＭＰ送信のためにデータゾーンでデータおよびＵＥ固有参照信号（セル固有参照信号の代わりに）を送信することができる。別の設計において、ＣｏＭＰ送信は、ＴＤＭ制御シンボルおよびセル固有参照信号を有さないサブフレームでありうる空のサブフレームで実行されうる。従って、空のサブフレーム内のリソースブロック全体がＣｏＭＰ送信に使用されうる。候補サービングセット内のセルは、リソースブロック全体でＣｏＭＰ送信のためにデータおよびＵＥ固有参照信号を送信することができる。
【００４６】
１つの設計において、ＣｏＭＰ送信は、レガシＵＥに使用されうるキャリア上で実行されうる。この場合、キャリア上のＭＢＳＦＮサブフレームおよび／または空のサブフレームを、それらがある場合に識別するためにシグナリングが送信されうる。別の設計において、ＣｏＭＰ送信はレガシＵＥに使用されないキャリア上で実行され、それは非レガシキャリア（non-legacy carrier）と呼ばれる。この場合、異なるタイプのサブフレームを識別するためのシグナリングは省略されうる。非レガシキャリアは、参照信号（共通参照信号を含まない）の縮小セットおよび／または異なるタイプのシグナリング（それは、制御ゾーンを産出しないか、あるいは小さい制御ゾーンを産出し、それによってシグナリングオーバーヘッド量を減らす）を有する。
【００４７】
１つの設計において、ＣｏＭＰ送信のための準静的構成を示す情報は、物理ダウンリンク共通チャネル（ＰＤＳＣＨ）または物理ダウンリンク制御チャネル（ＰＤＣＣＨ）のいずれかを通してＵＥに送信されうる。準静的構成は、最大数のＴＤＭ制御シンボルおよび候補サービングセット内のセルについてのセルＩＤを備えうる。ＰＤＳＣＨは、データゾーンで送信され、通常、ＵＥへのデータを搬送する。ＰＤＣＣＨは制御ゾーンで送信され、通常、ＵＥへの制御情報を搬送する。１つの設計において、オーバーヘッドを減らすために、各セルに対するサブキャリアオフセット
【数５】
2014014097.tif 000007
【００４８】
のみがセルＩＤの代わりに信号送信されうる。１つの設計において、サブキャリアオフセットの２ビットのビットマップ（サービングセルのサブキャリアオフセットを除く）は、この表示のために使用されうる。同様に、最大数のＴＤＭ制御シンボルのみ（あるいは、最大数のＴＤＭ制御シンボルと、サービングセルに対するＴＤＭ制御シンボルの数との差分）が２ビット量を使用してＵＥに信号送信されうる。あるいは、最大数のＴＤＭ制御シンボルおよびサブキャリアオフセットは共に符号化され、信号送信されうる。
【００４９】
別の設計において、準静的構成を示す情報は、層３（Ｌ３）シグナリングを介してＵＥに信号送信されうる。その情報は、最大数のＴＤＭ制御シンボル、候補サービングセット内のセルのセルＩＤ、各セルに対するアンテナの数などを示しうる。
【００５０】
シグナリングは、さらに、所与のサブフレームでデータをＵＥに送信する特定のセルをＵＥに知らせるために、動的に送信されうる（例えば、ＰＤＣＣＨ上で）。これらのセルは、ビットマップあるいはいくつかの別のフォーマットによって示されうる。このシグナリングは省略も可能である。
【００５１】
本明細書に記述された技術は、ＣｏＭＰ送信についての様々な利点を提供しうる。第１に、当技術は、制御サービングセット内の各セルに対する制御ゾーンの瞬間構成をＵＥに動的に知らせる必要性を回避することができる。第２に、当技術は、所与のサブフレームでＵＥに送信するのがどの特定のセルであるかをＵＥに知らせる必要性を回避することができる。これはＣｏＭＰ送信に関するオーバーヘッドおよび複雑性を減らしうる。
【００５２】
図６は、ＣｏＭＰ送信を行うためのプロセス６００の設計を示す。プロセス６００は、セル（下に記述されるように）またはいくつかの別のエンティティによって実行されうる。セルは、ＵＥへのＣｏＭＰ送信を行うためにセルのセットに対して利用可能なリソースエレメント（あるいは、時間周波数リソース）を備える準静的構成を決定することができる（ブロック６１２）。準静的構成は、さらに、セット内の特定のセル、各セルに対するアンテナの数、各セルに対するサブキャリアオフセットなどの別の情報を備えうる。準静的構成は、ＣｏＭＰ送信が行われうる複数のサブフレームに対して有効でありうる。セルは、準静的構成を示す情報をＵＥに送信することができる（ブロック６１４）。ブロック６１４はサービング／アンカーセルによってのみ実行され、セット内の別のセルによって実行されない。
【００５３】
１つの設計において、セット内の全てのセルに対する最大数のＴＤＭ制御シンボルは、例えば、セット内の各セルからの要求最大数のＴＤＭ制御シンボルに基づいて決定されうる。セット内のセルによってセル固有参照信号に使用されるリソースエレメントも決定されうる。次に、利用可能なリソースエレメントが、最大数のＴＤＭ制御シンボルおよびセル固有参照信号に使用されるリソースエレメントに基づいて決定されうる。利用可能なリソースエレメントは、ＴＤＭ制御シンボルおよびセル固有参照信号に使用されるリソースエレメントを含まない。利用可能なリソースエレメントは別の方法で決定されうる。
【００５４】
セルは、ＣｏＭＰ送信のために、データを利用可能なリソースエレメント上でＵＥに送信することができる（ブロック６１６）。セルは、さらに、ＣｏＭＰ送信が行われる各サブフレームで最大数までのＴＤＭ制御シンボルを送信することができる（ブロック６１８）。１つの設計において、セルは、ＣｏＭＰ送信のためにデータと多重送信されるセル固有参照信号を送信することができる（ブロック６２０）。セット内のセルは、時間および周波数でアラインされたそのセル固有参照信号をリソースエレメントの単一のセット上で送信しうる。あるいはまたは加えて、セルは、ＣｏＭＰ送信のためにＵＥ固有参照信号を送信することができる。セルは、ＵＥに関するセルのセットに割り当てられたスクランブリングコードに基づいてＵＥ固有参照信号をスクランブルすることができる。セット内のセルは、リソースエレメントの単一のセット上で時間および周波数でアラインされたＵＥ固有参照信号をＵＥに送信しうる。
【００５５】
１つの設計において、セット内のセルは、セル固有参照信号のためのリソースエレメントの単一のセットにマップするセルＩＤが割り当てられる。これは、セル固有参照信号についてのオーバーヘッドを減らし、ＣｏＭＰ送信に利用可能なリソースエレメントを増やすことに帰着する。１つの設計において、セルの複数のセットは、予め定義され、各セットは、セル固有参照信号のためのリソースエレメントの単一のセットにマップするセルＩＤを有するセルを含む。ＵＥに関するセルのセットは、セルの複数のセットのうちの１つでありうる。
【００５６】
さらに別の設計において、ネットワークにおけるセルの大きいグループのセル固有参照信号はオーバーラップしうる。所与のセルからのセル固有参照信号に使用されるリソースエレメントは、セル固有参照信号ＩＤ（ＣＳＲＳ ＩＤ）に基づいて決定されうる。このＣＳＲＳ ＩＤは、ＬＴＥリリース８に記述されるような再利用を達成するために、各セルのセルＩＤに設定されうる。あるいは、このＣＳＲＳ ＩＤは、同一のリソースエレメントが大きいグループ内のセルからのセル固有参照信号に使用されるように、ネットワークの大部分またはネットワーク全体におけるセルの大きいグループに共通の指定値に設定されうる。この設計は、ネットワーク全体またはネットワークの大部分に亘って上に記述されたクラスタ固有参照信号位置の拡張であると考えられる。この設計は、特に非レガシキャリアに対して適応可能である。
【００５７】
１つの設計において、セルは、ＣｏＭＰ送信のために、標準サブフレーム内の利用可能なリソースエレメント上でデータをＵＥに送信することができる。別の設計において、セルは、例えば図４に示されるように、データゾーンにセル固有参照信号を含まないＭＢＳＦＮサブフレームのデータゾーン内の利用可能なリソースエレメント上でデータを送信することができる。さらに別の設計において、セルは、別のＵＥへのセル固有参照信号および制御情報を含まない空のサブフレームの利用可能なリソースエレメント上でデータを送信することができる。セルは、また、別のフォーマット／タイプのサブフレームの利用可能なリソースエレメント上でデータを送信することができる。
【００５８】
図７は、ＣｏＭＰ送信を行うための装置７００の設計を示す。装置７００は、ＵＥへのＣｏＭＰ送信を行うためにセルのセットに対して利用可能なリソースエレメントを備える準静的構成を決定するためのモジュール７１２、準静的構成を示す情報をＵＥに送信するためのモジュール７１４、ＣｏＭＰ送信のために利用可能なリソースエレメント上でデータをＵＥに送信するためのモジュール７１６、ＣｏＭＰ送信が行われる各フレームで最大数までのＴＤＭ制御シンボルを送信するためのモジュール７１８、および、ＣｏＭＰ送信のためにデータと多重送信されるセル固有参照信号および／またはＵＥ固有参照信号を送信するためのモジュール７２０を含む。
【００５９】
図８は、ＣｏＭＰ送信を受信するためのプロセス８００の設計を示す。プロセス８００は、ＵＥ（下に記述されるように）またはいくつかの別のエンティティによって実行されうる。ＵＥは、ＵＥへのＣｏＭＰ送信を行うためにセルのセットに対して利用可能なリソースエレメントを備える準静的構成の示す情報を受信しうる（ブロック８１２）。利用可能なリソースエレメントは、（ｉ）セット内の全てのセルに対する最大数のＴＤＭ制御シンボル、（ｉｉ）セット内のセルによってセル固有参照信号に使用されるリソースエレメント、および／または（ｉｉｉ）別の情報に基づいて決定されうる。
【００６０】
ＵＥは、ＣｏＭＰ送信のために、セルのセット内の少なくとも２つのセルによって利用可能なリソースエレメント上でＵＥに送信されたデータを受信することができる（ブロック８１４）。少なくとも２つのセルは、セット内の全てのセルまたはいくつかのセルでありうる。ＵＥは、標準サブフレーム、ＭＢＳＦＮサブフレーム、空のサブフレーム、またはいくつかの別のタイプ／フォーマットのサブフレームでデータを受信することができる。１つの設計において、ＵＥは、少なくとも２つのセルによって時間および周波数でアラインされ送信されたセル固有参照信号を受信することができる（ブロック８１６）。別の設計において、ＵＥは、ＣｏＭＰ送信のために少なくとも２つのセルによって時間および周波数でアラインされ送信されたＵＥ固有参照信号を受信することができる（同じく、ブロック８１６）。ＵＥは、セル固有参照信号および／またはＵＥ固有参照信号に基づいて受信データ検出を実行することができる（ブロック８１８）。
【００６１】
図９は、ＣｏＭＰ送信を受信するための装置９００の設計を示す。装置９００は、ＵＥへのＣｏＭＰ送信を行うためにセルのセットに対して利用可能なリソースエレメントを備える準静的構成を示す情報を受信するためのモジュール９１２、ＣｏＭＰ送信のためにセルのセット内の少なくとも２つのセルによって利用可能なリソースエレメント上でＵＥに送信されたデータを受信するためのモジュール９１４、少なくとも２つのセルによって時間および周波数でアラインされ送信されたセル固有参照信号および／またはＵＥ固有参照信号を受信するためのモジュール９１６、および、セル固有参照信号および／またはＵＥ固有参照信号に基づいて、受信データ検出を実行するためのモジュール９１８を含む。
【００６２】
図１０は、ＣｏＭＰ送信を行うためのプロセス１０００の設計を示す。プロセス１０００は、セル（下に記述されるような）またはいくつかの別のエンティティによって実行されうる。セルは、セルのセットによってＵＥへのＣｏＭＰ送信に使用されるＭＢＳＦＮサブフレームを決定しうる（ブロック１０１２）。セルは、ＣｏＭＰ送信のためにＭＢＳＦＮサブフレームのデータゾーンでデータをＵＥに送信する（ブロック１０１４）。ＭＢＳＦＮサブフレームは、セル固有参照信号および別のＵＥへのデータをデータゾーンに含まない。セルは、ＣｏＭＰ送信のために、データゾーンでＵＥ固有参照信号を送信することができる（ブロック１０１６）。
【００６３】
図１１は、ＣｏＭＰ送信を行うための装置１１００の設計を示す。装置１１００は、セルのセットによってＵＥへのＣｏＭＰ送信に使用されるＭＢＳＦＮサブフレームを決定するためのモジュール１１１２、ＣｏＭＰ送信のためにＭＢＳＦＮサブフレームのデータゾーンでデータをＵＥに送信するためのモジュール１１１４、ＣｏＭＰ送信のためにデータゾーンでＵＥ固有参照信号を送信するためのモジュール１１１６を含む。
【００６４】
図１２は、ＣｏＭＰ送信を受信するためのプロセス１２００の設計を示す。プロセス１２００は、ＵＥ（下に記述されるように）またはいくつかの別のエンティティによって実行されうる。ＵＥは、セルのセットによってＵＥへのＣｏＭＰ送信に使用されるＭＢＳＦＮサブフレームを決定しうる（ブロック１２１２）。ＵＥは、ＣｏＭＰ送信のために、セルのセット内の少なくとも２つのセルによってＭＢＳＦＮサブフレームのデータゾーンでＵＥに送信されるデータを受信することができる（ブロック１２１４）。ＵＥは、ＣｏＭＰ送信のために少なくとも２つのセルによってデータゾーンで送信されたＵＥ固有参照信号を受信することができる（ブロック１２１６）。ＵＥは、ＵＥ固有参照信号に基づいて受信データ検出を実行しうる（ブロック１２１８）。
【００６５】
図１３は、ＣｏＭＰ送信を受信するための装置１３００の設計を示す。装置１３００は、セルのセットによってＵＥへのＣｏＭＰ送信に使用されるＭＢＳＦＮサブフレームを決定するためのモジュール１３１２、ＣｏＭＰ送信のためにセルのセット内の少なくとも２つのセルによってＭＢＳＦＮサブフレームのデータゾーンでＵＥに送信されるデータを受信するためのモジュール１３１４、ＣｏＭＰ送信のために少なくとも２つのセルによってデータゾーンで送信されたＵＥ固有参照信号を受信するためのモジュール１３１６、および、ＵＥ固有参照信号に基づいて受信データ検出を実行するためのモジュール１３１８を含む。
【００６６】
図７、９、１１、および１３のモジュールは、プロセッサ、電子デバイス、ハードウェアデバイス、電子コンポーネント、論理回路、メモリ、ソフトウェアコード、ファームウェアコード等、または、それらの任意の組み合わせを備えうる。
【００６７】
図１４は、図１の基地局／ｅＮＢのうちの１つおよびＵＥのうちの１つでありうる基地局／ｅＮＢ１１０およびＵＥ１２０の設計のブロック図を示す。基地局１１０はＴ個のアンテナ１４３４ａ〜１４３４ｔを備え、ＵＥ１２０はＲ個のアンテナ１４５２ａ〜１４５２ｒを備える。ここで、一般的にＴ≧１およびＲ≧１である。基地局１１０は１つ以上のセルにサービスを提供することができる。
【００６８】
基地局１１０において、送信プロセッサ１４２０は１つ以上のＵＥへのデータをデータソース１４１２から受信し、１つ以上の変調および符号化スキームに基づいて各ＵＥについてのそのデータを処理（例えば、符号化および変調）し、全てのＵＥにデータシンボルを提供しうる。送信プロセッサ１４２０は、さらに、制御情報（例えば、ＵＥ１１０へのＣｏＭＰ送信のための準静的構成についての）をコントローラ／プロセッサ１４４０から受信し、その制御情報を処理し、制御シンボルを提供しうる。送信プロセッサ１４２０は、さらに、基地局１１０によってサービス提供される各セルについてのセル参照信号および／またはＣｏＭＰ送信を備える各ＵＥについてのＵＥ固有参照信号についての参照シンボルを生成しうる。送信（ＴＸ）多重入力多重出力（ＭＩＭＯ）プロセッサ１４３０は、空間処理（例えば、プリコーディングまたはビームフォーミング）を、適応可能な場合に、データシンボル、制御シンボル、および／または参照シンボルに実行し、Ｔ個の変調器（ＭＯＤ）１４３２ａ〜１４３２ｔにＴ個の出力シンボルストリームを提供しうる。各変調器１４３２は、それぞれの出力シンボルストリーム（例えば、ＯＦＤＭ等のために）処理して出力サンプルストリームを取得する。各変調器１４３２は、その出力サンプルストリームをさらに処理（例えば、アナログへの変換、増幅、フィルタリング、およびアップコンバート）し、ダウンリンクシンボルを取得することができる。変調器１４３２ａ〜１４３２ｔからのＴ個のダウンリンク信号は、それぞれ、Ｔ個のアンテナ１４３４ａ〜１４３４ｔを介して送信されうる。
【００６９】
ＵＥ１２０において、Ｒ個のアンテナ１４５２ａ〜１４５２ｒは、基地局１１０、および、おそらくは他の基地局からダウンリンク信号を受信し、それぞれ、受信信号を復調器（ＤＥＭＯＤ）１４５４ａ〜１４５４ｒに提供しうる。各復調器１４５４は、その受信信号を調整（例えば、フィルタリング、増幅、ダウンコンバート、およびデジタル化）して受信サンプルを取得し、その受信サンプルを（例えば、ＯＦＤＭ等のために）さらに処理して受信シンボルを取得することができる。チャネルプロセッサ１４９４は、ＵＥ１２０に送信する全てのセルからのセル固有参照信号および／またはＵＥ固有参照信号に基づいてチャネル推定および干渉推定を実行しうる。ＭＩＭＯ検出器１４６０は、チャネルプロセッサ１４９４からのチャネル推定に基づいて、Ｒ個全ての復調器１４５４ａ〜１４５４ｒからの受信シンボルにＭＩＭＯ検出を実行し（適応可能な場合に）、検出シンボルを提供しうる。受信プロセッサ１４７０は、その検出シンボルを処理（例えば、復調および復号）し、ＵＥ１２０への復号データをデータシンク１４７２に提供し、復号された制御情報をコントローラ／プロセッサ１４９０に提供しうる。
【００７０】
アップリンク上のＵＥ１２０において、データソース１４７８からのデータおよびコントローラ／プロセッサ１４９０からの制御情報は送信プロセッサ１４８０によって処理され、ＴＸ ＭＩＭＯプロセッサ１４８２によってプリコードされ（適用可能な場合に）、変調器１４５４ａ〜１４５４ｒによって調整され、アンテナ１４５２ａ〜１４５２ｒを介して送信されうる。基地局１１０において、ＵＥ１２０および別のＵＥからのアップリンク信号は、ＵＥ１２０および別のＵＥによって送信されたデータおよび制御情報を獲得するために、アンテナ１４３４によって受信され、復調器１４３２によって調整され、MIMO検出器１４３６によって検出され、受信プロセッサ１４３８によって処理されうる。
【００７１】
コントローラ／プロセッサ１４４０および１４９０は、それぞれ、基地局１１０およびＵＥ１２０で動作を指揮しうる。プロセッサ１４４０および／または別のプロセッサ並びに基地局１１０のモジュールは、図６のプロセス６００、図１０のプロセス１０００、および／または本明細書に記述された技術のための別のプロセスを実行または指揮しうる。プロセッサ１４９０および／または別のプロセッサ並びにＵＥ１２０のモジュールは、図８のプロセス８００、図１２のプロセス１２００、および／または本明細書に記述された技術のための別のプロセスを実行または指揮しうる。メモリ１４４２および１４９２は、それぞれ、基地局１１０およびＵＥ１２０についてのデータとプログラムコードとを記憶しうる。スケジューラ１４４４は、ダウンリンクおよび／またはアップリンク上の送信のためにＵＥをスケジュールし、スケジュールされたＵＥにリソースを割り当てることができる。例えば、スケジューラ１４４４は、ＵＥ１１０へのＣｏＭＰ送信をスケジュールし、ＣｏＭＰ送信のための候補サービングセットを決定し、ＣｏＭＰ送信のためのリソースブロックを割り当てる。通信（Ｃｏｍｍ）ユニット１４４６は、バックホールを介して別の基地局およびネットワークコントローラ１３０との通信をサポートしうる。
【００７２】
当業者は、情報と信号が、あらゆる多種多様なテクノロジと技術を用いて表されることを理解するであろう。例えば、上の記述全体を通して参照されるデータ、指示、命令、情報、信号、ビット、シンボル、およびチップは、電圧、電流、電磁波、磁場または粒子、光電場または光粒子、またはこれらのあらゆる組み合わせによって表されうる。
【００７３】
当業者はさらに、本明細書の開示と関連して記述されている様々な実例となる論理ブロック、モジュール、回路、アルゴリズムステップが電子ハードウェア、コンピュータソフトウェアまたは両方の組み合わせとして実施されることを認識するであろう。このハードウェアとソフトウェアの互換性を明確に示すために、様々な実例となるコンポーネント、ブロック、モジュール、回路、ステップが、それらの機能性という観点から一般的に上に記述されている。ハードウェア、または、ソフトウェアとしてそのような機能性が実施されるか否かは、特定のアプリケーションとシステム全体に課された設計制約とに依存する。当業者は各特定アプリケーションについて様々な方法で上記機能性を実施することができるが、このような実施の決定は本開示の範囲からの逸脱の原因になるとして解釈されるべきではない。
【００７４】
本明細書の開示と関連して記述される様々な実例となる論理ブロック、モジュール、回路は、汎用のプロセッサ、デジタル信号プロセッサ（ＤＳＰ）、特定用途向けＩＣ（ＡＳＩＣ）、書替え可能ゲートアレイ（ＦＰＧＡ）または他のプログラマブル論理デバイス、ディスクリートゲートまたはトランジスタ論理、ディスクリートハードウェアコンポーネント、もしくは本明細書に記述された機能を実行するよう設計されたこれらの任意の組み合わせと一緒に実施または実行される。汎用プロセッサはマイクロプロセッサでありうるが、代替で、プロセッサは任意の従来のプロセッサ、コントローラ、マイクロコントローラ、またはステートマシンでありうる。プロセッサは、また、例えば、ＤＳＰとマクロプロセッサ、複数のマイクロプロセッサ、ＤＳＰコアに結合した１つ以上のマイクロプロセッサ、その他の上記構成の組み合わせといった計算デバイスの組み合わせとしても実施されうる。
【００７５】
本明細書の開示に関連して示される方法またはアルゴリズムのステップは、直接的にハードウェアに、プロセッサによって実行されるソフトウェアモジュールに、またはそれら二つの組み合わせに組み込まれうる。ソフトウェアモジュールは、ＲＡＭメモリ、フラッシュメモリ、ＲＯＭメモリ、ＥＰＲＯＭメモリ、ＥＥＲＲＯＭメモリ、レジスタ、ハードディスク、取外し可能ディスク、ＣＤ−ＲＯＭ、または本技術分野において周知の記憶媒体の他の形態に存在しうる。例示的な記憶媒体は、プロセッサがその記憶媒体から情報を読み取り、その記憶媒体に情報を書き込むことができるようにプロセッサに結合される。代替において、記憶媒体はプロセッサに一体化されうる。プロセッサと記憶媒体はASICに存在しうる。ＡＳＩＣはユーザ端末に存在しうる。代替において、プロセッサと記憶媒体は、個別コンポーネントとして、ユーザ端末に存在しうる。
【００７６】
１つ以上の例示的な設計において、記述された機能は、ハードウェア、ソフトウェア、ファームウェア、またはそれらの組み合わせで実施されうる。ソフトウェアで実施された場合、その機能はコンピュータ可読媒体上の１つ以上の命令またはコードとして記憶または送信される。コンピュータ可読媒体は、コンピュータ記憶媒体と、ある箇所から別の箇所へのコンピュータプログラム移送を容易にする任意の媒体を含む通信媒体との両方を含む。記憶媒体は汎用コンピュータまたは専用コンピュータによりアクセスされることができる任意の利用可能な媒体でありうる。それに制限されない例として、そのようなコンピュータ可読媒体はＲＡＭ、ＲＯＭ、ＥＥＰＲＯＭ、ＣＤ−ＲＯＭまたは他の光学ディスク記憶装置、磁気ディスク記憶装置または他の磁気記憶デバイス、もしくは、汎用コンピュータまたは専用コンピュータ、あるいは、汎用プロセッサまたは専用プロセッサによってアクセスされることができ、命令やデータ構造の形で所望のプログラムコード手段を搬送または記憶するために使用される任意の別媒体を備えることができる。さらに、任意の接続は適切にコンピュータ可読媒体と呼ばれる。例えば、同軸ケーブル、光ファイバーケーブル、撚線対、デジタル加入者回線（ＤＳＬ）、または赤外線、無線、マイクロ波などのワイヤレステクノロジを使用してウェブサイト、サーバ、または他のリモートソースからソフトウェアが送信されると、同軸ケーブル、光ファイバーケーブル、撚線対、DSL、または赤外線、無線、マイクロ波などのワイヤレステクノロジは媒体の定義に含まれる。ディスク（ｄｉｓｋ）とディスク（ｄｉｓｃ）は、本明細書で使用されているように、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ディスク（ｄｉｓｋ）は通常磁気作用によってデータを再生し、ディスク（ｄｉｓｃ）はレーザーで光学的にデータを再生する。上記の組み合わせもコンピュータ可読媒体の範囲内に含まれるべきである。
【００７７】
本開示の以上の記述は、当業者が本開示を実施および使用することを可能にするために提供される。本開示に対する様々な変更は当業者には容易に明らかであり、本明細書で定義された包括的な原理は、本開示の精神または範囲を逸脱することなく他の変形に対して適用可能である。従って、本開示は本明細書に記載の例証および設計に制限されるものではなく、本明細書で開示される原理および新規な特徴と合致する最も広い範囲が与えられるべきである。
【００７８】
以下に、本願出願の当初の特許請求の範囲に記載された発明を付記する。
【００７９】
［Ｃ１］
ワイヤレス通信のための方法であって、
ユーザ機器（ＵＥ）への協調マルチポイント（ＣｏＭＰ）送信を行うためにセルのセットに対して利用可能なリソースエレメントを備える準静的構成を決定することと、
前記ＣｏＭＰ送信のために、前記利用可能なリソースエレメント上で前記ＵＥにデータを送信することと、
を備える方法。
【００８０】
［Ｃ２］
前記準静的構成を示す情報を前記ＵＥに送信することをさらに備え、
前記準静的構成は、前記ＣｏＭＰ送信が行われる複数のサブフレームに対して有効である、
Ｃ１に記載の方法。
【００８１】
［Ｃ３］
前記準静的構成を決定することは、
前記セット内の全てのセルに対して最大数の時分割多重送信（ＴＤＭ）制御シンボルを決定することと、
前記最大数のＴＤＭ制御シンボルに基づいて前記利用可能なリソースエレメントを決定することと、
を備える、Ｃ１に記載の方法。
【００８２】
［Ｃ４］
前記セット内の全てのセルに対する前記最大数のＴＤＭ制御シンボルは、前記セット内の各セルからの要求最大数のＴＤＭ制御シンボルに基づいて決定される、
Ｃ３に記載の方法。
【００８３】
［Ｃ５］
前記ＣｏＭＰ送信が行われる各サブフレームで、最大でも前記最大数までのＴＤＭ制御シンボルを送信することをさらに備える、
Ｃ３に記載の方法。
【００８４】
［Ｃ６］
前記準静的構成を決定することは、
前記セット内の前記セルによってセル固有参照信号に使用されるリソースエレメントを決定することと、
前記セル固有参照信号に使用される前記リソースエレメントにさらに基づいて、前記利用可能なリソースエレメントを決定することと、
をさらに備える、Ｃ３に記載の方法。
【００８５】
［Ｃ７］
前記ＣｏＭＰ送信のために、前記データと多重送信されるセル固有参照信号を送信することをさらに備え、
前記セット内の前記セルは、リソースエレメントの単一セット上で時間および周波数でアラインされたセル固有参照信号を送信する、
Ｃ１に記載の方法。
【００８６】
［Ｃ８］
前記セット内の前記セルは、セル固有参照信号のためのリソースエレメントの単一セットにマップするセル識別子（ＩＤ）が割り当てられる、
Ｃ１に記載の方法。
【００８７】
［Ｃ９］
複数のセルのセットは予め定義され、各セットは、セル固有参照信号のためのリソースエレメントの単一のセットにマップするセル識別子（ＩＤ）を有するセルを含み、前記セルのセットは、前記複数のセルのセットのうちの１つである、
Ｃ１に記載の方法。
【００８８】
［Ｃ１０］
前記セルのセットは、セル固有参照信号のためのリソースエレメントの共通のセットを使用するセルの大きいグループのうちの一つである、
Ｃ１に記載の方法。
【００８９】
［Ｃ１１］
前記ＣｏＭＰ送信のためにＵＥ固有参照信号を送信することをさらに備え、
前記セット内の前記セルは、リソースエレメントの単一セット上で、時間および周波数でアラインされたＵＥ固有参照信号を前記ＵＥに送信する、
Ｃ１に記載の方法。
【００９０】
［Ｃ１２］
前記ＵＥに関するセルの前記セットに割り当てられたスクラブリングコードに基づいて前記ＵＥ固有参照信号をスクランブルすることをさらに備える、
Ｃ１１に記載の方法。
【００９１】
［Ｃ１３］
前記データを送信することは、前記ＣｏＭＰ送信のために、マルチキャスト／ブロードキャスト単一周波数ネットワーク（ＭＢＳＦＮ）サブフレームのデータゾーン内の前記利用可能なリソースエレメント上で前記データを前記ＵＥに送信することを備え、
前記ＭＢＳＦＮサブフレームは、前記データゾーンにセル固有参照信号を含まない、
Ｃ１に記載の方法。
【００９２】
［Ｃ１４］
前記データを送信することは、前記ＣｏＭＰ送信のために空のサブフレーム内の前記利用可能なリソースエレメント上で前記データを前記ＵＥに送信することを備え、
前記空のサブフレームは、セル固有参照信号および別のＵＥについての制御情報を含まない、
Ｃ１に記載の方法。
【００９３】
［Ｃ１５］
ワイヤレス通信のための装置であって、
ユーザ機器（ＵＥ）への協調マルチポイント（ＣｏＭＰ）送信を行うためにセルのセットに対して利用可能なリソースエレメントを備える準静的構成を決定するための手段と、
前記ＣｏＭＰ送信のために、前記利用可能なリソースエレメント上で前記ＵＥにデータを送信するための手段と、
を備える装置。
【００９４】
［Ｃ１６］
前記準静的構成を示す情報を前記ＵＥに送信するための手段をさらに備え、
前記準静的構成は、前記ＣｏＭＰ送信が行われる複数のサブフレームに対して有効である、
Ｃ１５に記載の装置。
【００９５】
［Ｃ１７］
前記準静的構成を決定するための手段は、
前記セット内の全てのセルに対して最大数の時分割多重送信（ＴＤＭ）制御シンボルを決定するための手段と、
前記最大数のＴＤＭ制御シンボルに基づいて前記利用可能なリソースエレメントを決定するための手段と、
を備える、Ｃ１５に記載の装置。
【００９６】
［Ｃ１８］
前記準静的構成を決定するための手段は、
前記セット内の前記セルによってセル固有参照信号に使用されるリソースエレメントを決定するための手段と、
前記セル固有参照信号に使用される前記リソースエレメントにさらに基づいて、前記利用可能なリソースエレメントを決定するための手段と、
をさらに備える、Ｃ１７に記載の装置。
【００９７】
［Ｃ１９］
前記ＣｏＭＰ送信のために、前記データと多重送信されるセル固有参照信号を送信するための手段をさらに備え、
前記セット内の前記セルは、リソースエレメントの単一セット上で時間および周波数でアラインされたセル固有参照信号を送信する、
Ｃ１５に記載の装置。
【００９８】
［Ｃ２０］
前記ＣｏＭＰ送信のためにＵＥ固有参照信号を送信するための手段をさらに備え、
前記セット内の前記セルは、リソースエレメントの単一セット上で、時間および周波数でアラインされたＵＥ固有参照信号を前記ＵＥに送信する、
Ｃ１５に記載の装置。
【００９９】
［Ｃ２１］
ワイヤレス通信のための装置であって、
ユーザ機器（ＵＥ）への協調マルチポイント（ＣｏＭＰ）送信を行うためにセルのセットに対して利用可能なリソースエレメントを備える準静的構成を決定し、前記ＣｏＭＰ送信のために、前記利用可能なリソースエレメント上で前記ＵＥにデータを送信するように構成された少なくとも１つのプロセッサを備える装置。
【０１００】
［Ｃ２２］
前記少なくとも１つのプロセッサは、前記準静的構成を示す情報を前記ＵＥに送信するように構成され、前記準静的構成は、前記ＣｏＭＰ送信が行われる複数のサブフレームに対して有効である、
Ｃ２１に記載の装置。
【０１０１】
［Ｃ２３］
前記少なくとも１つのプロセッサは、前記セット内の全てのセルに対して最大数の時分割多重送信（ＴＤＭ）制御シンボルを決定し、前記最大数のＴＤＭ制御シンボルに基づいて前記利用可能なリソースエレメントを決定するように構成され、
Ｃ２１に記載の装置。
【０１０２】
［Ｃ２４］
前記少なくとも１つのプロセッサは、前記セット内の前記セルによってセル固有参照信号に使用されるリソースエレメントを決定し、前記セル固有参照信号に使用される前記リソースエレメントにさらに基づいて、前記利用可能なリソースエレメントを決定するように構成される、
Ｃ２３に記載の装置。
【０１０３】
［Ｃ２５］
前記少なくとも１つのプロセッサは、前記ＣｏＭＰ送信のために、前記データと多重送信されるセル固有参照信号を送信するように構成され、前記セット内の前記セルは、リソースエレメントの単一セット上で時間および周波数でアラインされたセル固有参照信号を送信する、
Ｃ２１に記載の装置。
【０１０４】
［Ｃ２６］
前記少なくとも１つのプロセッサは、前記ＣｏＭＰ送信のためにＵＥ固有参照信号を送信するように構成され、前記セット内の前記セルは、リソースエレメントの単一セット上で、時間および周波数でアラインされたＵＥ固有参照信号を前記ＵＥに送信する、
Ｃ２１の装置。
【０１０５】
［Ｃ２７］
コンピュータ可読媒体を備えるコンピュータプログラム製品であって、前記コンピュータ可読媒体は、
少なくとも１つのコンピュータに、ユーザ機器（ＵＥ）への協調マルチポイント（ＣｏＭＰ）送信を行わせるためにセルのセットに対して利用可能なリソースエレメントを備える準静的構成を決定させるためのコードと、
前記少なくとも１つのコンピュータに、前記ＣｏＭＰ送信のために、前記利用可能なリソースエレメント上で前記ＵＥにデータを送信させるためのコードと、
を備える、コンピュータプログラム製品。
【０１０６】
［Ｃ２８］
ワイヤレス通信のための方法であって、
協調マルチポイント（ＣｏＭＰ）送信をユーザ機器（ＵＥ）に送信するためにセルのセットに対して利用可能なリソースエレメントを備える準静的構成を示す情報を受信することと、
前記ＣｏＭＰ送信のために、セルの前記セット内の少なくとも２つのセルによって前記利用可能なリソースエレメント上で前記ＵＥに送信されたデータを受信することと、
を備える方法。
【０１０７】
［Ｃ２９］
前記利用可能なリソースエレメントは、前記セット内の全てのセルに対する最大数の時分割多重送信（ＴＤＭ）制御シンボルに基づいて決定される、
Ｃ２８に記載の方法。
【０１０８】
［Ｃ３０］
前記少なくとも２つのセルによって時間および周波数でアラインして送信されるセル固有参照信号を受信することと、
前記セル固有参照信号に基づいて、前記受信データ検出を実行することと、
をさらに備え、
前記利用可能なリソースエレメントは、前記セル固有参照信号に使用されるリソースエレメントに基づいて決定される、
Ｃ２８に記載の方法。
【０１０９】
［Ｃ３１］
前記ＣｏＭＰ送信のために前記少なくとも２つのセルによって時間および周波数でアラインして送信されるＵＥ固有参照信号を受信することと、
前記ＵＥ固有参照信号に基づいて前記受信データ検出を実行することと、
をさらに備える、Ｃ２８に記載の方法。
【０１１０】
［Ｃ３２］
前記データを受信することは、前記ＣｏＭＰ送信のために前記少なくとも２つのセルによってマルチキャスト／ブロードキャスト単一周波数ネットワーク（ＭＢＳＦＮ）サブフレームのデータゾーン内の前記利用可能なリソースエレメント上で前記ＵＥに送信される前記データを受信することを備え、
前記ＭＢＳＦＮサブフレームは前記データゾーンにセル固有参照信号を含まない、
Ｃ２８に記載の方法。
【０１１１】
［Ｃ３３］
前記データを受信することは、前記ＣｏＭＰ送信のために空のサブフレーム内の前記利用可能なリソースエレメント上で前記少なくとも２つのセルによって前記ＵＥに送信された前記データを受信することを備え、
前記空のサブフレームは、セル固有参照信号および別のＵＥについての制御情報を含まない
Ｃ２８に記載の方法。
【０１１２】
［Ｃ３４］
ワイヤレス通信のための装置であって、
協調マルチポイント（ＣｏＭＰ）送信をユーザ機器（ＵＥ）に送信するためにセルのセットに対して利用可能なリソースエレメントを備える準静的構成を示す情報を受信するための手段と、
前記ＣｏＭＰ送信のために、セルの前記セット内の少なくとも２つのセルによって、前記利用可能なリソースエレメント上で前記ＵＥに送信されたデータを受信するための手段と、
を備える装置。
【０１１３】
［Ｃ３５］
前記利用可能なリソースエレメントは、前記セット内の全てのセルに対する最大数の時分割多重送信（ＴＤＭ）制御シンボルに基づいて決定される、
Ｃ３４に記載の装置。
【０１１４】
［Ｃ３６］
前記少なくとも２つのセルによって時間および周波数でアラインして送信されるセル固有参照信号を受信するための手段と、
前記セル固有参照信号に基づいて、前記受信データ検出を実行するための手段と、
をさらに備え、
前記利用可能なリソースエレメントは、前記セル固有参照信号に対して使用されるリソースエレメントに基づいて決定される、
Ｃ３４に記載の装置。
【０１１５】
［Ｃ３７］
前記ＣｏＭＰ送信のために前記少なくとも２つのセルによって時間および周波数でアラインして送信されるＵＥ固有参照信号を受信するための手段と、
前記ＵＥ固有参照信号に基づいて前記受信データ検出を実行するための手段と、
をさらに備える、Ｃ３４に記載の装置。
【０１１６】
［Ｃ３８］
前記データを受信するための手段は、前記ＣｏＭＰ送信のために前記少なくとも２つのセルによってマルチキャスト／ブロードキャスト単一周波数ネットワーク（ＭＢＳＦＮ）サブフレームのデータゾーン内の前記利用可能なリソースエレメント上で前記ＵＥに送信される前記データを受信するための手段を備え、
前記ＭＢＳＦＮサブフレームは前記データゾーンにセル固有参照信号を含まない、
Ｃ３４に記載の装置。
【０１１７】
［Ｃ３９］
ワイヤレス通信のための方法であって、
ユーザ機器（ＵＥ）への協調マルチポイント（ＣｏＭＰ）送信のために、セルのセットに対して使用されるマルチキャスト／ブロードキャスト単一周波数ネットワーク（ＭＢＳＦＮ）サブフレームを決定することと、
前記ＣｏＭＰ送信のために前記ＭＢＳＦＮサブフレームのデータゾーンでデータを前記ＵＥに送信することと、
を備え、
前記ＭＢＳＦＮサブフレームは、前記データゾーンにセル固有参照信号を含まない
方法。
【０１１８】
［Ｃ４０］
前記ＣｏＭＰ送信のために前記データゾーンでＵＥ固有参照信号を送信することをさらに備える、
Ｃ３９に記載の方法。
【０１１９】
［Ｃ４１］
ワイヤレス通信のための方法であって、
ユーザ機器（ＵＥ）への協調マルチポイント（ＣｏＭＰ）送信のために、セルのセットに使用されるマルチキャスト／ブロードキャスト単一周波数ネットワーク（ＭＢＳＦＮ）サブフレームを決定することと、
前記ＣｏＭＰ送信のために、セルの前記セットのうちの少なくとも２つのセルによって前記ＭＢＳＦＮサブフレームのデータゾーンで前記ＵＥに送信されるデータを受信することと、
を備え、
前記ＭＢＳＦＮサブフレームは前記データゾーンにセル固有参照信号を含まない
方法。
【０１２０】
［Ｃ４２］
前記ＣｏＭＰ送信のために、前記少なくとも２つセルによって前記データゾーンで送信されるＵＥ固有参照信号を受信することと、
前記ＵＥ固有参照信号に基づいて、前記受信データ検出を実行することと、
をさらに備える、Ｃ４１に記載の方法。
【図１】
2014014097.tif 000008
【図２】
2014014097.tif 000009
【図３】
2014014097.tif 000010
【図４】
2014014097.tif 000011
【図５】
2014014097.tif 000012
【図６】
2014014097.tif 000013
【図７】
2014014097.tif 000014
【図８】
2014014097.tif 000015
【図９】
2014014097.tif 000016
【図１０】
2014014097.tif 000017
【図１１】
2014014097.tif 000018
【図１２】
2014014097.tif 000019
【図１３】
2014014097.tif 000020
【図１４】
2014014097.tif 000021
【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）への協調マルチポイント（ＣｏＭＰ）送信のために、セルのセットによって使用されるマルチキャスト／ブロードキャスト単一周波数ネットワーク（ＭＢＳＦＮ）サブフレームを決定することと、
前記ＣｏＭＰ送信のために前記ＭＢＳＦＮサブフレームのデータゾーンでデータを前記ＵＥに送信することと、
を備え、前記ＭＢＳＦＮサブフレームは、前記データゾーンにセル固有参照信号を含まない、
方法。
【請求項２】
前記ＣｏＭＰ送信のために前記データゾーンでＵＥ固有参照信号を送信することをさらに備える、請求項１に記載の方法。
【請求項３】
前記ＭＢＳＦＮサブフレームの制御ゾーンでセル固有参照信号を送信することをさらに備える、請求項１に記載の方法。
【請求項４】
前記ＭＢＳＦＮサブフレームの制御ゾーンで送信するために、セルの前記セットに対する最大数の時分割多重送信（ＴＤＭ）制御シンボルを決定することをさらに備える、請求項１に記載の方法。
【請求項５】
前記ＭＢＳＦＮサブフレームの前記制御ゾーンのサイズは、前記最大数のＴＤＭ制御シンボルに基づいて決定される、請求項４に記載の方法。
【請求項６】
前記ＭＢＳＦＮサブフレームの制御ゾーンのサイズの表示を前記ＵＥに送信することをさらに備える、請求項１に記載の方法。
【請求項７】
最大数のＴＤＭ制御シンボルを前記決定することは、セルの前記セット内のセルと交渉することを含む、請求項４に記載の方法。
【請求項８】
ワイヤレス通信のための方法であって、
ユーザ機器（ＵＥ）への協調マルチポイント（ＣｏＭＰ）送信のために、セルのセットによって使用されるマルチキャスト／ブロードキャスト単一周波数ネットワーク（ＭＢＳＦＮ）サブフレームを決定することと、
前記ＣｏＭＰ送信のために、セルの前記セットのうちの少なくとも２つのセルによって前記ＭＢＳＦＮサブフレームのデータゾーンで前記ＵＥに送信されるデータを受信することと、
を備え、前記ＭＢＳＦＮサブフレームは、前記データゾーンにセル固有参照信号を含まない、
方法。
【請求項９】
前記ＣｏＭＰ送信のために前記少なくとも２つのセルによって前記データゾーンで送信されるＵＥ固有参照信号を受信することと、
前記ＵＥ固有参照信号に基づいて前記受信データ検出を実行することと、
をさらに備える、請求項８に記載の方法。
【請求項１０】
前記ＣｏＭＰ送信のために、前記少なくとも２つのセルのうちの１つ以上によって前記ＭＢＳＦＮサブフレームの制御ゾーンで送信された１つ以上のセル固有参照信号を受信することをさらに備える、請求項８に記載の方法。
【請求項１１】
前記ＭＢＳＦＮサブフレームは、セルの前記セットに対する最大数の時分割多重送信（ＴＤＭ）制御シンボルに少なくとも部分的に基づいて決定されたサイズを有する制御ゾーンを含む、請求項８に記載の方法。
【請求項１２】
前記ＭＢＳＦＮサブフレームの制御ゾーンのサイズの表示を受信することをさらに備える、請求項８に記載の方法。
【請求項１３】
ワイヤレス通信装置であって、
ユーザ機器（ＵＥ）への協調マルチポイント（ＣｏＭＰ）送信のために、セルのセットによって使用されるマルチキャスト／ブロードキャスト単一周波数ネットワーク（ＭＢＳＦＮ）サブフレームを決定するための手段と、
前記ＣｏＭＰ送信のために前記ＭＢＳＦＮサブフレームのデータゾーンでデータを前記ＵＥに送信するための手段と、
を備え、前記ＭＢＳＦＮサブフレームは、前記データゾーンにセル固有参照信号を含まない、
装置。
【請求項１４】
前記ＣｏＭＰ送信のために前記データゾーンでＵＥ固有参照信号を送信するための手段をさらに備える、請求項１３に記載の装置。
【請求項１５】
前記ＭＢＳＦＮサブフレームの制御ゾーンでセル固有参照信号を送信するための手段をさらに備える、請求項１３に記載の装置。
【請求項１６】
前記ＭＢＳＦＮサブフレームの制御ゾーンで送信するために、セルの前記セットに対する最大数の時分割多重送信（ＴＤＭ）制御シンボルを決定するための手段をさらに備える、請求項１３に記載の装置。
【請求項１７】
前記ＭＢＳＦＮサブフレームの前記制御ゾーンのサイズは、前記最大数のＴＤＭ制御シンボルに基づいて決定される、請求項１６に記載の装置。
【請求項１８】
前記ＭＢＳＦＮサブフレームの制御ゾーンのサイズの表示を前記ＵＥに送信するための手段をさらに備える、請求項１３に記載の装置。
【請求項１９】
最大数のＴＤＭ制御シンボルを決定するための前記手段は、セルの前記セット内のセルと交渉するための手段を含む、請求項１６に記載の装置。
【請求項２０】
ワイヤレス通信装置であって、
ユーザ機器（ＵＥ）への協調マルチポイント（ＣｏＭＰ）送信のために、セルのセットによって使用されるマルチキャスト／ブロードキャスト単一周波数ネットワーク（ＭＢＳＦＮ）サブフレームを決定するための手段と、
前記ＣｏＭＰ送信のために、セルの前記セットのうちの少なくとも２つのセルによって前記ＭＢＳＦＮサブフレームのデータゾーンで前記ＵＥに送信されるデータを受信するための手段と、
を備え、前記ＭＢＳＦＮサブフレームは、前記データゾーンにセル固有参照信号を含まない、
装置。
【請求項２１】
前記ＣｏＭＰ送信のために前記少なくとも２つのセルによって前記データゾーンで送信されるＵＥ固有参照信号を受信するための手段と、
前記ＵＥ固有参照信号に基づいて前記受信データ検出を実行するための手段と、
をさらに備える、請求項２０に記載の装置。
【請求項２２】
前記ＭＢＳＦＮサブフレームの制御ゾーンで前記ＣｏＭＰ送信のために、前記少なくとも２つのセルのうちの１つ以上によって送信された１つ以上のセル固有参照信号を受信するための手段をさらに備える、請求項２０に記載の装置。
【請求項２３】
前記ＭＢＳＦＮサブフレームは、セルの前記セットに対する最大数の時分割多重送信（ＴＤＭ）制御シンボルに少なくとも部分的に基づいたサイズを有する制御ゾーンを含む、請求項２０に記載の装置。
【請求項２４】
前記ＭＢＳＦＮサブフレームの制御ゾーンのサイズの表示を受信するための手段をさらに備える、請求項２０に記載の装置。
【請求項２５】
ワイヤレス通信装置であって、
ユーザ機器（ＵＥ）への協調マルチポイント（ＣｏＭＰ）送信のために、セルのセットによって使用されるマルチキャスト／ブロードキャスト単一周波数ネットワーク（ＭＢＳＦＮ）サブフレームを決定する、
前記ＣｏＭＰ送信のために前記ＭＢＳＦＮサブフレームのデータゾーンでデータを前記ＵＥに送信するように構成された少なくとも１つのプロセッサ、
を備え、前記ＭＢＳＦＮサブフレームは、前記データゾーンにセル固有参照信号を含まない、
装置。
【請求項２６】
前記少なくとも１つのプロセッサは、前記ＣｏＭＰ送信のために前記データゾーンでＵＥ固有参照信号を送信するようにさらに構成される、請求項２５の装置。
【請求項２７】
前記少なくとも１つのプロセッサは、前記ＭＢＳＦＮサブフレームの制御ゾーンでセル固有参照信号を送信するようにさらに構成される、請求項２５に記載の装置。
【請求項２８】
前記少なくとも１つのプロセッサは、前記ＭＢＳＦＮサブフレームの制御ゾーンで送信するためにセルの前記セットに対する最大数の時分割多重送信（ＴＤＭ）制御シンボルを決定するようにさらに構成される、請求項２５に記載の装置。
【請求項２９】
前記ＭＢＳＦＮサブフレームの前記制御ゾーンのサイズは、前記最大数のＴＤＭ制御シンボルに基づいて決定される、請求項２８に記載の装置。
【請求項３０】
前記少なくとも１つのプロセッサは、前記ＭＢＳＦＮサブフレームの制御ゾーンのサイズの表示を前記ＵＥに送信するようにさらに構成される、請求項２５に記載の装置。
【請求項３１】
前記少なくとも1つのプロセッサは、少なくともセルの前記セットのうちのセルと交渉することで前記最大数のＴＤＭ制御シンボルを決定するように構成される、請求項２８に記載の装置。
【請求項３２】
ワイヤレス通信装置であって、
ユーザ機器（ＵＥ）への協調マルチポイント（ＣｏＭＰ）送信のために、セルのセットによって使用されるマルチキャスト／ブロードキャスト単一周波数ネットワーク（ＭＢＳＦＮ）サブフレームを決定する、
前記ＣｏＭＰ送信のために、セルの前記セットのうちの少なくとも２つのセルによって前記ＭＢＳＦＮサブフレームのデータゾーンで前記ＵＥに送信されるデータを受信するように構成された少なくとも１つのプロセッサ、
を備え、前記ＭＢＳＦＮサブフレームは、前記データゾーンにセル固有参照信号を含まない、
装置。
【請求項３３】
前記少なくとも１つのプロセッサは、
前記ＣｏＭＰ送信のために前記少なくとも２つのセルによって前記データゾーンで送信されるＵＥ固有参照信号を受信する、
前記ＵＥ固有参照信号に基づいて前記受信データ検出を実行するようにさらに構成される、請求項３２に記載の装置。
【請求項３４】
前記少なくとも１つのプロセッサは、前記ＭＢＳＦＮサブフレームの制御ゾーンで前記ＣｏＭＰ送信のために、前記少なくとも２つのセルのうちの1つ以上によって送信される1つ以上のセル固有参照信号を受信するようにさらに構成される、請求項３２に記載の装置。
【請求項３５】
前記ＭＢＳＦＮサブフレームは、セルの前記セットに対する最大数の時分割多重送信（ＴＤＭ）制御シンボルに少なくとも部分的に基づいたサイズを有する制御ゾーンを含む、請求項３２に記載の装置。
【請求項３６】
前記少なくとも１つのプロセッサは、前記ＭＢＳＦＮサブフレームの制御ゾーンのサイズの表示を受信するようにさらに構成される、請求項３２に記載の装置。
【請求項３７】
コンピュータプログラム製品であって、
少なくとも１つのプロセッサに、ユーザ機器（ＵＥ）への協調マルチポイント（ＣｏＭＰ）送信のために、セルのセットによって使用されるマルチキャスト／ブロードキャスト単一周波数ネットワーク（ＭＢＳＦＮ）サブフレームを決定させるためのコードと、
前記少なくとも１つのプロセッサに、前記ＣｏＭＰ送信のために前記ＭＢＳＦＮサブフレームのデータゾーンでデータを前記ＵＥに送信させるためのコードと、
を備え、前記ＭＢＳＦＮサブフレームは、前記データゾーンにセル固有参照信号を含まない、
コンピュータプログラム製品。
【請求項３８】
前記少なくとも１つのプロセッサに、前記ＣｏＭＰ送信のために前記データゾーンでＵＥ固有参照信号を送信させるためのコードをさらに備える、請求項３７に記載のコンピュータプログラム製品。
【請求項３９】
前記少なくとも１つのプロセッサに、前記ＭＢＳＦＮサブフレームの制御ゾーンでセル固有参照信号を送信させるためのコードをさらに備える、請求項３７に記載のコンピュータプログラム製品。
【請求項４０】
前記少なくとも１つのプロセッサに、前記ＭＢＳＦＮサブフレームの制御ゾーンで送信するために、セルの前記セットに対する最大数の時分割多重送信（ＴＤＭ）制御シンボルを決定させるためのコードをさらに備える、請求項３７に記載のコンピュータプログラム製品。
【請求項４１】
前記ＭＢＳＦＮサブフレームの制御ゾーンのサイズは、前記最大数のＴＤＭ制御シンボルに基づいて決定される、請求項４０に記載のコンピュータプログラム製品。
【請求項４２】
前記少なくとも１つのプロセッサに、前記ＭＢＳＦＮサブフレームの制御ゾーンのサイズの表示を前記ＵＥに送信させるためのコードをさらに備える、請求項３７に記載のコンピュータプログラム製品。
【請求項４３】
前記少なくとも１つのプロセッサに、最大数のＴＤＭ制御シンボルを決定させるための前記コードは、前記少なくとも１つのプロセッサに、セルの前記セットのうちのセルと交渉させるためのコードを含む、請求項４０に記載のコンピュータプログラム製品。
【請求項４４】
コンピュータプログラム製品であって、
少なくとも１つのプロセッサに、ユーザ機器（ＵＥ）への協調マルチポイント（ＣｏＭＰ）送信のために、セルのセットによって使用されるマルチキャスト／ブロードキャスト単一周波数ネットワーク（ＭＢＳＦＮ）サブフレームを決定させるためのコードと、
前記少なくとも１つのプロセッサに、前記ＣｏＭＰ送信のために、セルの前記セットのうちの少なくとも２つのセルによって前記ＭＢＳＦＮサブフレームのデータゾーンで前記ＵＥに送信されるデータを受信させるためのコードと、
を備え、前記ＭＢＳＦＮサブフレームは、前記データゾーンにセル固有参照信号を含まない、
コンピュータプログラム製品。
【請求項４５】
前記少なくとも１つのプロセッサに、前記ＣｏＭＰ送信のために前記少なくとも２つのセルによって前記データゾーンで送信されるＵＥ固有参照信号を受信させるためのコードと、
前記少なくとも１つのプロセッサに、前記ＵＥ固有参照信号に基づいて、前記受信データ検出を実行させるためのコードをさらに備える、請求項４４に記載のコンピュータプログラム製品。
【請求項４６】
前記少なくとも１つのプロセッサに、前記ＭＢＳＦＮサブフレームの制御ゾーンで前記ＣｏＭＰ送信のために、前記少なくとも２つのセルのうちの1つ以上によって送信される1つ以上のセル固有参照信号を受信させるためのコードをさらに備える、請求項４４に記載のコンピュータプログラム製品。
【請求項４７】
前記ＭＢＳＦＮサブフレームは、セルの前記セットに対する最大数の時分割多重送信（ＴＤＭ）制御シンボルに少なくとも部分的に基づいて決定されたサイズを有する制御ゾーンを含む、請求項４４に記載のコンピュータプログラム製品。
【請求項４８】
前記少なくとも１つのプロセッサに、前記ＭＢＳＦＮサブフレームの制御ゾーンのサイズの表示を受信させるためのコードをさらに備える、請求項４４に記載のコンピュータプログラム製品。